(57)【要約】【課題】ボトムロック式の底部を有する包装箱において、組立て状態と折畳み状態との間で変形を繰り返しても底部を損傷することがなく、かつ、包装箱の組立て状態において、底部を強固に平面状に維持することができる包装箱を提供する。【解決手段】底部３０を構成する第１フラップ４０と第３フラップ６０には、テーパ状の切欠部Ｋ１、Ｋ２が形成され、切欠部Ｋ１、Ｋ２は、第１フラップ４０や第３フラップ６０が連設された背面部１２と正面部１６に隣接する左側面部１４や右側面部１８との境界線の下端位置の側に向けて形成され、第１フラップ４０と第３フラップ６０の突状部４４、６４には、折れ線４０ａ、６０ａと略平行な方向に突出した突出部４４ａ、６４ａが形成されている。【選択図】図５
0003166289.tif 000002
【実用新案登録請求の範囲】
【請求項１】
包装箱であって、
包装箱の側面を形成するスリーブ状部で、方形状の第１側板部と、第１側板部の側端に折れ線を介して連設された方形状の第２側板部と、第２側板部の側端に折れ線を介して連設された方形状の第３側板部と、第３側板部の側端に折れ線を介して連設された方形状の第４側板部とを有し、包装箱の組立て状態では、該第１側板部と該第２側板部と該第３側板部と該第４側板部とでスリーブ状に形成されるスリーブ状部と、
該スリーブ状部から連設された底部で、該第１側板部の下端から折れ線を介して連設された第１片部と、該第２側板部の下端から折れ線を介して連設された第２片部と、該第３側板部の下端から折れ線を介して連設された第３片部と、該第４側板部の下端から折れ線を介して連設された第４片部と、を有する底部と、
を有し、
第１片部が、第１側板部との境界をなす折れ線である第１基準折れ線を介して連設された本体部で、該第１基準折れ線に対して約４５度の角度をなす傾斜辺部で、第１側板部に隣接する側板部である第１隣接側板部と第１側板部間の境界線の下端位置である第１下端位置又はその近傍から伸びた直線状の傾斜辺部を有する本体部と、本体部から該傾斜辺部の少なくとも一部である折れ線を介して連設された突状部とを有するとともに、
第１片部には、第１基準折れ線とは反対側にテーパ状の第１切欠部が形成され、第１切欠部において互いに対向してテーパ状を形成する一対の辺部のうち一方の辺部である第１辺部と他方の辺部である第２辺部とが、ともに、第１基準折れ線に近づくに従い第１基準折れ線の方向において第１下端位置の側に近づくように第１基準折れ線に対して傾斜して形成され、スリーブ状部を筒状に形成して底部を組み立てた場合に、第１下端位置と該第１下端位置と対角位置の下端位置で第３側板部と第３側板部に隣接し第１隣接側板部と相対する側板部である第２隣接側板部との境界線の下端位置である第２下端位置とを結ぶ対角線を介して第１辺部と第２辺部とが互いに反対側に形成され、第１辺部と第１基準折れ線の方向との間の角度が、第１基準折れ線と対角線との間の角度よりも小さく形成されるとともに、第２辺部と第１基準折れ線の方向との間の角度が、第１基準折れ線と対角線との間の角度よりも大きく形成され、第１切欠部が形成されていることにより、第１片部の突状部の先端における第１切欠部側が第１基準折れ線と略平行な方向に突出した突出部が形成され、
第３片部が、第３側板部との境界をなす折れ線である第２基準折れ線を介して連設された本体部で、該第２基準折れ線に対して約４５度の角度をなす傾斜辺部で、第２下端位置又はその近傍から伸びた直線状の傾斜辺部を有する本体部と、第３片部の本体部から該傾斜辺部の少なくとも一部である折れ線を介して連設された突状部とを有するとともに、
第３片部には、第２基準折れ線とは反対側にテーパ状の第２切欠部が形成され、第２切欠部において互いに対向してテーパ状を形成する一対の辺部のうち一方の辺部である第３辺部と他方の辺部である第４辺部とが、ともに、第２基準折れ線に近づくに従い第２基準折れ線の方向において第２下端位置の側に近づくように第２基準折れ線に対して傾斜して形成され、スリーブ状部を筒状に形成して底部を組み立てた場合に、該対角線を介して第３辺部と第４辺部とが互いに反対側に形成され、第３辺部と第２基準折れ線の方向との間の角度が、第２基準折れ線と対角線との間の角度よりも小さく形成されるとともに、第４辺部と第２基準折れ線の方向との間の角度が、第２基準折れ線と対角線との間の角度よりも大きく形成され、第２切欠部が形成されていることにより、第３片部の突状部の先端における第２切欠部側が第２基準折れ線と略平行な方向に突出した突出部が形成され、
第１片部の突状部が、第１隣接側板部の下端から連設された片部で、第２片部と第４片部のいずれか一方の片部と接着され、第３片部の突状部が、第２隣接側板部の下端から連設された片部で、第２片部と第４片部のいずれか他方の片部と接着されており、
包装箱を組み立てた状態では、第１片部の第１切欠部形成領域と第２片部の切欠部形成領域とが互いに係合することにより包装箱の底部が構成されることを特徴とする包装箱。
【請求項２】
第１切欠部の先端が、第１下端位置又はその近傍に向けて形成され、第２切欠部の先端が、第２下端位置又はその近傍に向けて形成されていることを特徴とする請求項１に記載の包装箱。
【請求項３】
第１切欠部の先端位置と第２切欠部の先端位置が、上記対角線の中央位置と略一致することを特徴とする請求項１又は２に記載の包装箱。
【請求項４】
スリーブ状部を構成する第１側面部と第２側面部と第３側面部と第４側面部の横方向の幅が略同一であり、
スリーブ状部を筒状に形成して底部を組み立てた場合に、第１片部の傾斜辺部と第３片部の傾斜辺部とが、包装箱の底面視において、上記対角線と略一致し、第１切欠部は第１片部の傾斜辺部の延長線上に形成され、第２切欠部は第３片部の傾斜辺部の延長線上に形成されていることを特徴とする請求項１又は２又は３に記載の包装箱。
【請求項５】
第２片部と第４片部は、略台形形状における先端側の一対の角部における一方の角部に突状の先端部を有し、第２片部の先端部は、第１片部と第３片部において第２片部が接着されている片部の突状部に接着され、第４片部の先端部は、第１片部と第３片部において第４片部が接着されている片部の突状部に接着されていることを特徴とする請求項４に記載の包装箱。
【請求項６】
スリーブ状部を構成する第１側面部と第３側面部の横方向の幅が略同一で、第２側面部と第４側面部の横方向の幅が略同一であり、第１側面部及び第３側面部の横方向の幅が第２側面部と第４側面部の横方向の幅よりも大きく形成され、
第１切欠部は第１片部の本体部に形成され、第２切欠部は第３片部の本体部に形成されていることを特徴とする請求項１又は２又は３に記載の包装箱。
【請求項７】
第１片部の本体部において、第１切欠部の先端位置から第１片部の本体部と第１片部の突状部間の折れ線に向けて第１基準折れ線に対して略平行な罫線が形成され、また、第３片部の本体部において、第２切欠部の先端位置から第３片部の本体部と第３片部の突状部間の折れ線に向けて第２基準折れ線に対して略平行な罫線が形成されていることを特徴とする請求項６に記載の包装箱。
【請求項８】
包装箱であって、
包装箱の側面を形成するスリーブ状部で、方形状の第１側板部と、第１側板部の側端に折れ線を介して連設された方形状の第２側板部と、第２側板部の側端に折れ線を介して連設された方形状の第３側板部と、第３側板部の側端に折れ線を介して連設された方形状の第４側板部とを有し、包装箱の組立て状態では、該第１側板部と該第２側板部と該第３側板部と該第４側板部とでスリーブ状に形成され、第１側面部と第２側面部と第３側面部と第４側面部の横方向の幅が略同一であるスリーブ状部と、
該スリーブ状部から連設された底部で、該第１側板部の下端から折れ線を介して連設された第１片部と、該第２側板部の下端から折れ線を介して連設された第２片部と、該第３側板部の下端から折れ線を介して連設された第３片部と、該第４側板部の下端から折れ線を介して連設された第４片部と、を有する底部と、
を有し、
第１片部が、第１側板部との境界をなす折れ線である第１基準折れ線を介して連設された本体部で、該第１基準折れ線に対して約４５度の角度をなす傾斜辺部で、第１側板部に隣接する側板部である第１隣接側板部と第１側板部間の境界線の下端位置である第１下端位置又はその近傍から伸びた直線状の傾斜辺部を有する本体部と、本体部から該傾斜辺部の少なくとも一部である折れ線を介して連設された突状部とを有するとともに、
第１片部には、第１基準折れ線とは反対側にテーパ状の第１切欠部が形成され、第１切欠部において互いに対向してテーパ状を形成する一対の辺部のうち一方の辺部である第１辺部と他方の辺部である第２辺部とが、ともに、第１基準折れ線に近づくに従い第１基準折れ線の方向において第１下端位置の側に近づくように第１基準折れ線に対して傾斜して形成され、傾斜辺部の延長線を介して第１辺部と第２辺部とが互いに反対側に形成され、一対の辺部のうち第１辺部と第１基準折れ線の方向との間の角度が、４５度よりも小さく形成されるとともに、第２辺部と第１基準折れ線の方向との間の角度が、４５度よりも大きく形成され、第１切欠部の先端が第１下端位置又はその近傍に向けて形成され、第１切欠部が形成されていることにより、第１片部の突状部の先端における第１切欠部側が第１基準折れ線と略平行な方向に突出した突出部が形成され、
第３片部が、第３側板部との境界をなす折れ線である第２基準折れ線を介して連設された本体部で、該第２基準折れ線に対して約４５度の角度をなす傾斜辺部で、第３側板部に隣接し第１隣接側板部と相対する側板部である第２隣接側板部と第３側板部間の境界線の下端位置である第２下端位置又はその近傍から伸びた直線状の傾斜辺部を有する本体部と、第３片部の本体部から該傾斜辺部の少なくとも一部である折れ線を介して連設された突状部とを有するとともに、
第３片部には、第２基準折れ線とは反対側にテーパ状の第２切欠部が形成され、第２切欠部において互いに対向してテーパ状を形成する一対の辺部のうち一方の辺部である第３辺部と他方の辺部である第４辺部とが、ともに、第２基準折れ線に近づくに従い第２基準折れ線の方向において第２下端位置の側に近づくように第２基準折れ線に対して傾斜して形成され、傾斜辺部の延長線を介して第３辺部と第４辺部とが互いに反対側に形成され、第３辺部と第２基準折れ線の方向との間の角度が、４５度よりも小さく形成されるとともに、第４辺部と第２基準折れ線の方向との間の角度が、４５度よりも大きく形成され、第２切欠部の先端が第２下端位置又はその近傍に向けて形成され、第２切欠部が形成されていることにより、第３片部の突状部の先端における第２切欠部側が第２基準折れ線と略平行な方向に突出した突出部が形成され、
第１切欠部の先端位置と第２切欠部の先端位置が、上記対角線の中央位置と略一致し、
第１片部の突状部が、第１隣接側板部の下端から連設された片部で、第２片部と第４片部のいずれか一方の片部と接着され、第３片部の突状部が、第２隣接側板部の下端から連設された片部で、第２片部と第４片部のいずれか他方の片部と接着されており、第２片部と第４片部は、略台形形状における先端側の一対の角部における一方の角部に突状の先端部を有し、第２片部の先端部は、第１片部と第３片部において第２片部が接着されている片部の突状部に接着され、第４片部の先端部は、第１片部と第３片部において第４片部が接着されている片部の突状部に接着されており、
包装箱を組み立てた状態では、第１片部の第１切欠部形成領域と第２片部の切欠部形成領域とが互いに係合することにより包装箱の底部が構成されることを特徴とする包装箱。
【請求項９】
包装箱であって、
包装箱の側面を形成するスリーブ状部で、方形状の第１側板部と、第１側板部の側端に折れ線を介して連設された方形状の第２側板部と、第２側板部の側端に折れ線を介して連設された方形状の第３側板部と、第３側板部の側端に折れ線を介して連設された方形状の第４側板部とを有し、包装箱の組立て状態では、該第１側板部と該第２側板部と該第３側板部と該第４側板部とでスリーブ状に形成され、第１側面部と第３側面部の横方向の幅が略同一で、第２側面部と第４側面部の横方向の幅が略同一であり、第１側面部及び第３側面部の横方向の幅が第２側面部と第４側面部の横方向の幅よりも大きく形成されたスリーブ状部と、
該スリーブ状部から連設された底部で、該第１側板部の下端から折れ線を介して連設された第１片部と、該第２側板部の下端から折れ線を介して連設された第２片部と、該第３側板部の下端から折れ線を介して連設された第３片部と、該第４側板部の下端から折れ線を介して連設された第４片部と、を有する底部と、
を有し、
第１片部が、第１側板部との境界をなす折れ線である第１基準折れ線を介して連設された本体部で、該第１基準折れ線に対して約４５度の角度をなす傾斜辺部で、第１側板部に隣接する側板部である第１隣接側板部と第１側板部間の境界線の下端位置である第１下端位置又はその近傍から伸びた直線状の傾斜辺部を有する本体部と、本体部から該傾斜辺部の少なくとも一部である折れ線を介して連設された突状部とを有するとともに、
第１片部の本体部には、第１基準折れ線とは反対側にテーパ状の第１切欠部が形成され、第１切欠部において互いに対向してテーパ状を形成する一対の辺部のうち一方の辺部である第１辺部と他方の辺部である第２辺部とが、ともに、第１基準折れ線に近づくに従い第１基準折れ線の方向において第１下端位置の側に近づくように第１基準折れ線に対して傾斜して形成され、スリーブ状部を筒状に形成して底部を組み立てた場合に、第１側板部と第１隣接側板部との境界線の下端位置である第１下端位置と該第１下端位置と対角位置の下端位置で第３側板部と第２隣接側板部との境界線の下端位置である第２下端位置とを結ぶ対角線を介して第１辺部と第２辺部とが互いに反対側に形成され、第１辺部と第１基準折れ線の方向との間の角度が、第１基準折れ線と対角線との間の角度よりも小さく形成されるとともに、第２辺部と第１基準折れ線の方向との間の角度が、第１基準折れ線と対角線との間の角度よりも大きく形成され、第１切欠部の先端が、第１下端位置又はその近傍に向けて形成され、第１切欠部が形成されていることにより、第１片部の突状部の先端における第１切欠部側が第１基準折れ線と略平行な方向に突出した突出部が形成され、
第３片部が、第３側板部との境界をなす折れ線である第２基準折れ線を介して連設された本体部で、該第２基準折れ線に対して約４５度の角度をなす傾斜辺部で、第３側板部に隣接し第１隣接側板部と相対する側板部である第２隣接側板部と第３側板部間の境界線の下端位置である第２下端位置又はその近傍から伸びた直線状の傾斜辺部を有する本体部と、第３片部の本体部から該傾斜辺部の一部である折れ線を介して連設された突状部とを有するとともに、
第３片部の本体部には、第２基準折れ線とは反対側にテーパ状の第２切欠部が形成され、第２切欠部において互いに対向してテーパ状を形成する一対の辺部のうち一方の辺部である第３辺部と他方の辺部である第４辺部とが、ともに、第２基準折れ線に近づくに従い第２基準折れ線の方向において第２下端位置の側に近づくように第２基準折れ線に対して傾斜して形成され、スリーブ状部を筒状に形成して底部を組み立てた場合に、該対角線を介して第３辺部と第４辺部とが互いに反対側に形成され、第３辺部と第２基準折れ線の方向との間の角度が、第２基準折れ線と対角線との間の角度よりも小さく形成されるとともに、第４辺部と第２基準折れ線の方向との間の角度が、第２基準折れ線と対角線との間の角度よりも大きく形成され、第２切欠部の先端が、第２下端位置又はその近傍に向けて形成され、第２切欠部が形成されていることにより、第３片部の突状部の先端における第２切欠部側が第２基準折れ線と略平行な方向に突出した突出部が形成され、
第１切欠部の先端位置と第２切欠部の先端位置が、上記対角線の中央位置と略一致し、
第１片部の突状部が、第１隣接側板部の下端から連設された片部で、第２片部と第４片部のいずれか一方の片部と接着され、第３片部の突状部が、第２隣接側板部の下端から連設された片部で、第２片部と第４片部のいずれか他方の片部と接着されており、
包装箱を組み立てた状態では、第１片部の第１切欠部形成領域と第２片部の切欠部形成領域とが互いに係合することにより包装箱の底部が構成されることを特徴とする包装箱。
【請求項１０】
第１片部の本体部において、第１切欠部の先端位置から第１片部の本体部と第１片部の突状部間の折れ線に向けて第１基準折れ線に対して略平行な罫線が形成され、また、第３片部の本体部において、第２切欠部の先端位置から第３片部の本体部と第３片部の突状部間の折れ線に向けて第２基準折れ線に対して略平行な罫線が形成されていることを特徴とする請求項９に記載の包装箱。
【考案の詳細な説明】
【技術分野】
【０００１】
本考案は、包装箱に関するものであり、特に、使用時に胴部を形成することにより同時に底部が形成される包装箱の底部の構造に関するものである。
【背景技術】
【０００２】
従来より、図２６〜図３０に示すような構成の包装箱が存在する。この包装箱は、ボトムロック式と呼ばれるものであり、胴部を形成すると同時に底部が形成されるものであり、包装箱Ｂ１は、糊代部４１０と、背面部４１２と、左側面部４１４と、支持フラップ４１５と、正面部４１６と、右側面部４１８と、支持フラップ４１９と、上面部４２０と、差込み片部４２２と、底部４３０とを有している。この包装箱Ｂ１は、１枚のシート状のブランク（具体的には、段ボール製（例えば、薄型段ボール製）のブランク）により形成されている。
【０００３】
正面部４１６と右側面部４１８と左側面部４１４と背面部４１２は、それぞれが包装箱Ｂ１の側面を形成し、方形状の板状を呈している。また、糊代部４１０が右側面部４１８の内側に接着されて、正面部４１６と右側面部４１８と左側面部４１４と背面部４１２によりスリーブ状部４０５が形成される。
【０００４】
また、上面部４２０は、背面部４１２の上端から折れ線を介して連設され、方形状を呈している。差込み片部４２２は、上面部４２０の先端から折れ線を介して連設され、スリーブ状部４０５の開口部を上面部４２０により閉じる際に、正面部４１６の内側に差し込まれる。
【０００５】
また、底部４３０は、一対の第１フラップ４４０と、一対の第２フラップ４６０とから構成され、第１フラップ４４０と第２フラップ４６０とは、スリーブ状部４０５を構成する各部における相対する部材の下辺に連設されていて、第１フラップ４４０は、正面部４１６の下辺から折れ線を介して連設されているともに、背面部４１２の下辺から折れ線を介して連設されており、第２フラップ４６０は、右側面部４１８の下辺から折れ線を介して連設されているとともに、左側面部４１４の下辺から折れ線を介して連設されている。２つの第１フラップ４４０は、同大同形状に形成され、２つの第２フラップ４６０は、同大同形状に形成されている。
【０００６】
ここで、正面部４１６から折れ線を介して連設された第１フラップ４４０を例にとって説明すると、第１フラップ４４０は、略台形形状を有するフラップ本体４４２と、フラップ本体４４２の一方の傾斜辺から折れ線を介して連設されている突状部４４４とを有している。
【０００７】
このフラップ本体４４２は、台形形状をなす本体部４４２−１と、本体部４４２−１の一方から突出した四角形状の突出片部４４２−２とを有している。
【０００８】
すなわち、本体部４４２−１は、正面部４１６との境界をなす直線状の折れ線４４０ａと、正面部４１６と左側面部４１４の境界の下端位置から伸びた辺部４４６ａと、辺部４４６ａの端部から連設され、折れ線４４０ａと平行に形成された辺部４４６ｂの一部である部分辺部４４６ｂ−１と、部分辺部４４６ｂ−１の端部（つまり、辺部４４６ｂの辺部４４６ａと反対側の端部よりもやや辺部４４６ａ側の位置）から連設され、フラップ本体４４２と突状部４４４間の折れ線４４０ｂの延長線をなす仮想線４４８と、仮想線４４８の端部から連設された折れ線４４０ｂと、正面部４１６と右側面部４１８の境界線の下端位置から伸び、折れ線４４０ｂの延長線上に形成された辺部４４６ｊとにより囲まれた形状を呈し、辺部４４６ｊ及び折れ線４４０ｂは、折れ線４４０ａに対して４５度の角度をなして形成されている。
【０００９】
また、突出片部４４２−２は、仮想線４４８から突出して形成され、仮想線４４８と、仮想線４４８の端部から連設された、辺部４４６ｂの一部である部分辺部４４６ｂ−２と、部分辺部４４６ｂ−２の部分辺部４４６ｂ−１側とは反対側の端部から連設された辺部４４６ｃと、辺部４４６ｃの端部から連設された辺部４４６ｄとにより囲まれた形状を呈している。ここで、本体部４４２−１と突出片部４４２−２とは一体に形成されている。ここで、辺部４４６ｄは、折れ線４４０ａと直角方向をなしている。
【００１０】
また、突状部４４４は、本体部４４２−１から突出して形成され、六角形状をなし、辺部４４６ｄの端部から連設された辺部４４６ｅと、辺部４４６ｅの端部から連設された辺部４４６ｆと、辺部４４６ｆの端部から連設された辺部４４６ｇと、辺部４４６ｇの端部から連設された辺部４４６ｈと、辺部４４６ｈの端部から連設された辺部４４６ｉとにより囲まれた形状を呈している。ここで、辺部４４６ｅと辺部４４６ｇは、折れ線４４０ａと平行に形成されている。
【００１１】
以上のような構成とすることにより、突状部４４４と突出片部４４２−２との間には、大きな切欠部４５０（辺部４４６ｃと辺部４４６ｆにより構成される切欠部）が形成され、さらに、その奥側に小さな切欠部４５２（辺部４４６ｄと辺部４４６ｅにより構成される切欠部）が形成され、辺部４４６ｄと辺部４４６ｆとは４５度をなしていることになる。
【００１２】
ここで、折れ線４４０ｂと仮想線４４８は、底部４３０を組み立てて平面状にした場合に、正面部４１６と右側面部４１８間の折れ線の下端Ｗ２（図２７参照）と背面部４１２と左側面部４１４間の折れ線の下端Ｗ１（図２７参照）間を結ぶ直線は、折れ線４４０ａに対して４５度をなすことから、辺部４４６ｊと折れ線４４０ｂと仮想線４４８と一致する。つまり、突出片部４４２−２は、下端Ｗ１と下端Ｗ２を結ぶ直線よりも突出して形成されている。
【００１３】
背面部４１２から折れ線を介して連設された第１フラップ４４０も正面部４１６から折れ線を介して連設された第１フラップ４４０と同様の構成である。
【００１４】
また、第２フラップ４６０は、略台形形状を呈し、特に、一方の傾斜辺部４６０ａは、第２フラップ４６０と右側面部４１８との境界線である折れ線と約４５度の角度をなし、また、他方の傾斜辺部４６０ｂは、第２フラップ４６０と右側面部４１８との境界線である折れ線と４５度よりも大きい角度をなしている。
【００１５】
包装箱Ｂ１においては、突状部４４４の上面側が第２フラップ４６０の下面に接着され、特に、突状部４４４の辺部４４６ｆが傾斜辺部４６０ａと略平行になるように接着される。
【００１６】
包装箱Ｂ１が組み立てられている状態では、図２６、図２７に示すように、第１フラップ４４０における切欠部４５２の形成箇所同士が互いに掛止した状態となっていて、底部４３０を強固に平面状に維持している。そして、図２６に示すように、２つの折れ線４４０ｂは、略一直線状をなすとともに、図２７に示すように、一対の突出片部４４２−２において、一方の突出片部４４２−２の辺部４４６ｃが他方の突出片部４４２−２の辺部４４６ｃよりも奥側に位置し、２つの突出片部４４２−２は、平面視した場合に、ともに、底部４３０における角部Ｗ１（背面部４１２と左側面部４１４の境界線の下端位置の角部）と角部Ｗ２（正面部４１６と右側面部４１８の境界線の下端位置の角部）を結んだ直線よりも突出して位置することになる。また、辺部４４６ｄと辺部４４６ｅとが接する点Ｐは、折れ線４４０ｂの端部にあり、底面部４３０を平面状に組み立てた際には、底面部４３０の略中央に位置する。
【００１７】
包装箱Ｂ１において、組立て状態から折り畳み状態にするには、スリーブ状部４０５を折り畳むことにより、底部４３０を構成する各部がスリーブ状部４０５の内部に畳まれた状態となる。その際、第１フラップ４４０においては、突状部４４４がフラップ本体４４２に対して折れ線４４０ｂを介して折曲した状態となる。
【００１８】
上記の例は、正面部４１６と背面部４１２と右側面部４１８と左側面部４１４の横幅が同一であり、底面部４３０が正方形状をなす場合であるが、正面部及び背面部と右側面部及び左側面部の横幅が異なる場合の例は、図３１〜図３３のようになる。
【００１９】
すなわち、包装箱Ｂ２は、糊代部５１０と、背面部５１２と、左側面部５１４と、支持フラップ５１５と、正面部５１６と、右側面部５１８と、支持フラップ５１９と、上面部５２０と、差込み片部５２２と、底部５３０とを有している。この包装箱Ｂ２は、１枚のシート状のブランク（具体的には、段ボール製（例えば、薄型段ボール製）のブランク）により形成されている。
【００２０】
正面部５１６と右側面部５１８と左側面部５１４と背面部５１２は、それぞれが包装箱Ｂ２の側面を形成し、方形状の板状を呈している。また、糊代部５１０が右側面部５１８の内側に接着されて、正面部５１６と右側面部５１８と左側面部５１４と背面部５１２によりスリーブ状部５０５が形成される。
【００２１】
また、上面部５２０は、背面部５１２の上端から折れ線を介して連設され、方形状を呈している。差込み片部５２２は、上面部５２０の先端から折れ線を介して連設され、スリーブ状部５０５の開口部を上面部５２０により閉じる際に、正面部５１６の内側に差し込まれる。
【００２２】
また、底部５３０は、一対の第１フラップ５４０と、一対の第２フラップ５６０とから構成され、第１フラップ５４０と第２フラップ５６０とは、スリーブ状部５０５を構成する各部における相対する部材の下辺に連設されていて、第１フラップ５４０は、正面部５１６の下辺から折れ線を介して連設されているともに、背面部５１２の下辺から折れ線を介して連設されており、第２フラップ５６０は、右側面部５１８の下辺から折れ線を介して連設されているとともに、左側面部５１４の下辺から折れ線を介して連設されている。２つの第１フラップ５４０は、同大同形状に形成され、２つの第２フラップ５６０は、同大同形状に形成されている。
【００２３】
ここで、正面部５１６から折れ線を介して連設された第１フラップ５４０を例にとって説明すると、第１フラップ５４０は、フラップ本体５４２と、フラップ本体５４２の一方の傾斜辺から折れ線を介して連設されている突状部５４４とを有している。
【００２４】
このフラップ本体５４２は、台形形状の先端に台形形状を連ねた形状の本体部５４２−１と、本体部５４２−１から突出した四角形状の突出片部５４２−２とを有している。
【００２５】
すなわち、本体部５４２−１は、正面部５１６との境界をなす直線状の折れ線５４０ａと、正面部５１６と左側面部５１４の境界の下端位置から伸びた辺部５４６ａと、辺部５４６ａの端部から連設され、辺部５４０ａと平行に形成された辺部５４６ｂの一部である部分辺部５４６ｂ−１と、部分辺部５４６ｂ−１の端部（つまり、辺部５４６ｂの辺部５４６ａと反対側の端部よりもやや辺部５４６ａ側の位置）から連設され、正面部５１６と右側面部５１８間の折れ線の下端から辺部５４６ｄと辺部５４６ｅとが接する点Ｑを通る仮想線５４８（この仮想線が、底面部５３０を平面状に組み立てた際に、正面部５１６と右側面部５１８間の折れ線の下端と背面部５１２と左側面部５１４間の折れ線の下端とを結ぶ直線となる）の一部５４８−１と、仮想線５４８の一部５４８−１の端部から連設された辺部５４６ｅと、辺部５４６ｅの端部から連設された本体部５４２−１と突状部５４４間の折れ線５４０ｂと、正面部５１６と右側面部５１８の境界線の下端位置から伸び、折れ線５４０ｂの延長線上に形成された辺部５４６ｊとにより囲まれた形状を呈し、辺部５４６ｊ及び折れ線５４０ｂは、折れ線５４０ａに対して４５度の角度をなして形成されている。
【００２６】
また、突出片部５４２−２は、仮想線５４８から突出して形成され、仮想線５４８の一部５４８−１と、仮想線５４８−１の端部から連設された、辺部５４６ｂの一部である部分辺部５４６ｂ−２と、部分辺部５４６ｂ−２の部分辺部５４６ｂ−１側とは反対側の端部から連設された辺部５４６ｃと、辺部５４６ｃの端部から連設された辺部５４６ｄとにより囲まれた形状を呈している。ここで、本体部５４２−１と突出片部５４２−２とは一体に形成されている。ここで、辺部５４６ｄは、折れ線５４０ａと直角方向をなし、辺部５４６ｅは折れ線５４０ａと平行をなしている。
【００２７】
また、突状部５４４は、本体部５４２−１から突出して形成され、五角形状をなし、辺部５４６ｅの端部から連設された辺部５４６ｆと、辺部５４６ｆの端部から連設された辺部５４６ｇと、辺部５４６ｇの端部から連設された辺部５４６ｈと、辺部５４６ｈの端部から連設された辺部５４６ｉとにより囲まれた形状を呈している。ここで、辺部５４６ｇは、折れ線５４０ａと平行に形成されている。
【００２８】
以上のような構成とすることにより、突状部５４４と本体部５４２−１と突出片部５４２−２との間には、大きな切欠部５５０（辺部５４６ｃと辺部５４６ｆにより構成される切欠部）が形成され、さらに、その奥側に小さな切欠部５５２（辺部５４６ｄと辺部５４６ｅにより構成される切欠部）が形成され、辺部５４６ｄと辺部５４６ｆとは４５度をなしていることになる。
【００２９】
ここで、仮想線５４８は、底部５３０を組み立てて平面状にした場合に、正面部５１６と右側面部５１８間の折れ線の下端と背面部５１２と左側面部５１４間の折れ線の下端間を結ぶ直線と一致し、突出片部５４２−２は、仮想線５４８（２つの下端を結ぶ直線）よりも突出して形成されている。
【００３０】
背面部５１２から折れ線を介して連設された第１フラップ５４０も正面部５１６から折れ線を介して連設された第１フラップ５４０と同様の構成である。
【００３１】
また、第２フラップ５６０は、略台形形状を呈し、特に、一方の傾斜辺部５６０ａは、第２フラップ５６０と右側面部５１８との境界線である折れ線と約４５度の角度をなし、また、他方の傾斜辺部５６０ｂは、第２フラップ５６０と右側面部５１８との境界線である折れ線と４５度よりも大きい角度をなしている。
【００３２】
包装箱Ｂ２においては、突状部５４４の上面側が第２フラップ５６０の下面に接着され、特に、突状部５４４の辺部５４６ｆが傾斜辺部５６０ａと略平行になるように接着される。
【００３３】
包装箱Ｂ２が組み立てられている状態では、第１フラップ５４０における切欠部５５２の形成箇所同士が互いに掛止した状態となっていて、底部５３０を強固に平面状に維持している。そして、一対の突出片部５４２−２において、一方の突出片部５４２−２の辺部５４６ｃが他方の突出片部５４２−２の辺部５４６ｃよりも奥側に位置し、２つの突出片部５４２−２は、平面視した場合に、ともに、底部５３０における一対の角部（背面部５１２と左側面部５１４の境界線の下端位置の角部と正面部５１６と右側面部５１８の境界線の下端位置の角部）を結んだ直線よりも突出して位置することになる。また、辺部５４６ｄと辺部５４６ｅとが接する点Ｑは、底面部５３０を底面状に組み立てた際には、底面部５３０の略中央に位置する。
【００３４】
包装箱Ｂ２において、組立て状態から折り畳み状態にするには、スリーブ状部５０５を折り畳むことにより、底部５３０を構成する各部がスリーブ状部５０５の内部に畳まれた状態となる。その際、第１フラップ５４０においては、突状部５４４がフラップ本体５４２に対して折れ線５４０ｂを介して折曲した状態となる。
【００３５】
また、特許文献１に記載の包装箱は、図３４、図３５に示すように構成され、包装箱の底部６３０は、２つの第１フラップ６４０と第２フラップ６６０、６６２により構成され、第１フラップ６４０は、フラップ本体６４４と突出片部６４８とで構成され、第１フラップ６４０に形成された切欠部６５０は、フラップ本体６４４と突出片部６４８間の折れ線６４８ｇの延長線である傾斜辺部６４４ｃと、突出片部６４８における折れ線６４４ａ（正面部６１０と第１フラップ６４０間の折れ線）と直角をなす２つの辺部６４８ｂ、６４８ｆのうち内側に位置する辺部６４８ｂにより構成されている。傾斜辺部６４４ｃと辺部６４８ｂとは約４５度の角度をなしている。
【先行技術文献】
【特許文献】
【００３６】
【特許文献１】実用新案登録第３１４２４４９号公報
【考案の概要】
【考案が解決しようとする課題】
【００３７】
しかし、図２６〜図３０に示す包装箱Ｂ１においては、第１フラップ４４０における切欠部４５２形成箇所同士が互いに掛止した状態となり、２つの突出片部４４２−２は、ともに、底部４３０における角部Ｗ１（背面部４１２と左側面部４１４の境界線の下端位置の角部）と角部Ｗ２（正面部４１６と右側面部４１８の境界線の下端位置の角部）を結んだ直線よりも突出して位置しているので、包装箱Ｂ１を組立て状態と折畳み状態との間で変形させた場合に、一対の突出片部４４２−２が互いに強く接触し（図２８参照）、組立て状態と折畳み状態との間で何度も変形させて繰返し使用した場合に、突出片部４４２−２が大きく損傷してしまうという問題があり、特に、組立て状態から折畳み状態に変形する際には、組立て状態において一対の切欠部４５２形成箇所同士が掛止しているので、その掛止を解除するように操作しなければならず、その際に、突出片部４４２−２における切欠部４５２側の端部が特に損傷してしまうという問題があり、組立て状態と折畳み状態との間で繰り返し使用することができないという問題があった。
【００３８】
同様に、図３１〜図３３に示す包装箱Ｂ２においては、第１フラップ５４０における切欠部５５２形成箇所同士が互いに掛止した状態となり、２つの突出片部５４２−２は、ともに、底部５３０における角部（背面部５１２と左側面部５１４の境界線の下端位置の角部）と角部（正面部５１６と右側面部５１８の境界線の下端位置の角部）を結んだ直線よりも突出して位置しているので、包装箱Ｂ２を組立て状態と折畳み状態との間で変形させた場合に、一対の突出片部５４２−２が互いに強く接触し、組立て状態と折畳み状態との間で何度も変形させて繰返し使用した場合に、突出片部５４２−２が大きく損傷してしまうという問題があり、特に、組立て状態から折畳み状態に変形する際には、組立て状態において一対の切欠部５５２形成箇所同士が掛止しているので、その掛止を解除するように操作しなければならず、その際に、突出片部５４２−２における切欠部５５２側の端部が特に損傷してしまうという問題があり、組立て状態と折畳み状態との間で繰り返し使用することができないという問題があった。
【００３９】
また、特許文献１の包装箱においては、傾斜辺部６４４ｃは折れ線６４８ｇの延長線上にあるので、組立て状態と折り畳み状態との間で変形するに際して、傾斜辺部６４４ｃ同士は接触するものの、強く接触することがなく、フラップ本体６４４における傾斜辺部６４４ｃの領域が損傷することがないが、逆に、切欠部６５０形成箇所同士の掛止が弱く、包装箱の組立て状態において、底部６３０を強固に平面状に維持することができないという問題があった。
【００４０】
そこで、本考案が解決しようとする問題点は、ボトムロック式の底部を有する包装箱において、組立て状態と折畳み状態との間で変形を繰り返しても底部を損傷することがなく、かつ、包装箱の組立て状態において、底部を強固に平面状に維持することができる包装箱を提供することである。
【課題を解決するための手段】
【００４１】
本考案は上記問題点を解決するために創作されたものであって、第１には、包装箱であって、包装箱の側面を形成するスリーブ状部で、方形状の第１側板部と、第１側板部の側端に折れ線を介して連設された方形状の第２側板部と、第２側板部の側端に折れ線を介して連設された方形状の第３側板部と、第３側板部の側端に折れ線を介して連設された方形状の第４側板部とを有し、包装箱の組立て状態では、該第１側板部と該第２側板部と該第３側板部と該第４側板部とでスリーブ状に形成されるスリーブ状部と、該スリーブ状部から連設された底部で、該第１側板部の下端から折れ線を介して連設された第１片部と、該第２側板部の下端から折れ線を介して連設された第２片部と、該第３側板部の下端から折れ線を介して連設された第３片部と、該第４側板部の下端から折れ線を介して連設された第４片部と、を有する底部と、を有し、第１片部が、第１側板部との境界をなす折れ線である第１基準折れ線を介して連設された本体部で、該第１基準折れ線に対して約４５度の角度をなす傾斜辺部で、第１側板部に隣接する側板部である第１隣接側板部と第１側板部間の境界線の下端位置である第１下端位置又はその近傍から伸びた直線状の傾斜辺部を有する本体部と、本体部から該傾斜辺部の少なくとも一部である折れ線を介して連設された突状部とを有するとともに、第１片部には、第１基準折れ線とは反対側にテーパ状の第１切欠部が形成され、第１切欠部において互いに対向してテーパ状を形成する一対の辺部のうち一方の辺部である第１辺部と他方の辺部である第２辺部とが、ともに、第１基準折れ線に近づくに従い第１基準折れ線の方向において第１下端位置の側に近づくように第１基準折れ線に対して傾斜して形成され、スリーブ状部を筒状に形成して底部を組み立てた場合に、第１下端位置と該第１下端位置と対角位置の下端位置で第３側板部と第３側板部に隣接し第１隣接側板部と相対する側板部である第２隣接側板部との境界線の下端位置である第２下端位置とを結ぶ対角線を介して第１辺部と第２辺部とが互いに反対側に形成され、第１辺部と第１基準折れ線の方向との間の角度が、第１基準折れ線と対角線との間の角度よりも小さく形成されるとともに、第２辺部と第１基準折れ線の方向との間の角度が、第１基準折れ線と対角線との間の角度よりも大きく形成され、第１切欠部が形成されていることにより、第１片部の突状部の先端における第１切欠部側が第１基準折れ線と略平行な方向に突出した突出部が形成され、第３片部が、第３側板部との境界をなす折れ線である第２基準折れ線を介して連設された本体部で、該第２基準折れ線に対して約４５度の角度をなす傾斜辺部で、第２下端位置又はその近傍から伸びた直線状の傾斜辺部を有する本体部と、第３片部の本体部から該傾斜辺部の少なくとも一部である折れ線を介して連設された突状部とを有するとともに、第３片部には、第２基準折れ線とは反対側にテーパ状の第２切欠部が形成され、第２切欠部において互いに対向してテーパ状を形成する一対の辺部のうち一方の辺部である第３辺部と他方の辺部である第４辺部とが、ともに、第２基準折れ線に近づくに従い第２基準折れ線の方向において第２下端位置の側に近づくように第２基準折れ線に対して傾斜して形成され、スリーブ状部を筒状に形成して底部を組み立てた場合に、該対角線を介して第３辺部と第４辺部とが互いに反対側に形成され、第３辺部と第２基準折れ線の方向との間の角度が、第２基準折れ線と対角線との間の角度よりも小さく形成されるとともに、第４辺部と第２基準折れ線の方向との間の角度が、第２基準折れ線と対角線との間の角度よりも大きく形成され、第２切欠部が形成されていることにより、第３片部の突状部の先端における第２切欠部側が第２基準折れ線と略平行な方向に突出した突出部が形成され、第１片部の突状部が、第１隣接側板部の下端から連設された片部で、第２片部と第４片部のいずれか一方の片部と接着され、第３片部の突状部が、第２隣接側板部の下端から連設された片部で、第２片部と第４片部のいずれか他方の片部と接着されており、包装箱を組み立てた状態では、第１片部の第１切欠部形成領域と第２片部の切欠部形成領域とが互いに係合することにより包装箱の底部が構成されることを特徴とする。
【００４２】
上記第１の構成においては、包装箱が組み立てられた状態では、第１片部の第１切欠部形成箇所と第３片部の第２切欠部形成箇所が互いに係合した状態となっていて、底部を強固に平面状に維持している。特に、第１切欠部において互いに対向してテーパ状を形成する一対の辺部が、ともに、第１基準折れ線に近づくに従い第１基準折れ線の方向において第１下端位置の側に近づくように第１基準折れ線に対して傾斜して形成され、第１辺部と第１基準折れ線の方向との間の角度が、第１基準折れ線と対角線との間の角度よりも小さく形成されるとともに、第２辺部と第１基準折れ線の方向との間の角度が、第１基準折れ線と対角線との間の角度よりも大きく形成され、第１切欠部が形成されていることにより、第１片部の突状部の先端における第１切欠部側が第１基準折れ線と略平行な方向に突出した突出部が形成され、第２切欠部において互いに対向してテーパ状を形成する一対の辺部が、ともに、第２基準折れ線に近づくに従い第２基準折れ線の方向において第２下端位置の側に近づくように第２基準折れ線に対して傾斜して形成され、第３辺部と第２基準折れ線の方向との間の角度が、第２基準折れ線と対角線との間の角度よりも小さく形成されるとともに、第４辺部と第２基準折れ線の方向との間の角度が、第２基準折れ線と対角線との間の角度よりも大きく形成され、第２切欠部が形成されていることにより、第３片部の突状部の先端における第２切欠部側が第２基準折れ線と略平行な方向に突出した突出部が形成されているので、第１片部の第１切欠部形成領域と第２片部の切欠部形成領域とが互いに係合すると、第１片部と第３片部とが互いに噛み合った状態となり、特に、第１片部の突出部が第３片部の本体部を押した状態となり、第３片部の突出部が第１片部の本体部を押した状態となるので、容易に折り畳み状態に戻ることがなく、底部を強固に平面状に維持することができる。
【００４３】
また、第１切欠部と第２切欠部において、テーパ状を形成する一対の辺部のうち一方の辺部と他方の辺部とが対角線を介して互いに反対側に形成されているので、包装箱を組み立てた状態においても第１辺部と第３辺部とが接触せず、第２辺部と第４辺部とが接触せず、包装箱を組立て状態と折り畳み状態との間で繰り返し変形しても第１片部の本体部と第３片部の本体部とが損傷することがない。
【００４４】
なお、上記第１の構成を以下のようにしてもよい。すなわち、「包装箱であって、包装箱の側面を形成するスリーブ状部で、方形状の第１側板部と、第１側板部の側端に折れ線を介して連設された方形状の第２側板部と、第２側板部の側端に折れ線を介して連設された方形状の第３側板部と、第３側板部の側端に折れ線を介して連設された方形状の第４側板部とを有し、包装箱の組立て状態では、該第１側板部と該第２側板部と該第３側板部と該第４側板部とでスリーブ状に形成されるスリーブ状部と、該スリーブ状部から連設された底部で、該第１側板部の下端から折れ線を介して連設された第１片部と、該第２側板部の下端から折れ線を介して連設された第２片部と、該第３側板部の下端から折れ線を介して連設された第３片部と、該第４側板部の下端から折れ線を介して連設された第４片部と、を有する底部と、を有し、第１片部が、第１片部が連設された側板部との境界をなす折れ線である第１基準折れ線を介して連設され、該第１基準折れ線に対して約４５度の角度をなす傾斜辺部で、第１側板部に隣接する側板部である第１隣接側板部と第１側板部間の境界線の下端位置又はその近傍から伸びた直線状の傾斜辺部を有する本体部と、本体部から該傾斜辺部の一部である折れ線を介して連設された突状部とを有するとともに、第１片部には、第１片部が連設された側板部との境界をなす折れ線とは反対側にテーパ状の第１切欠部が形成され、第１切欠部において互いに対向してテーパ状を形成する一対の辺部のうち一方の辺部である第１辺部と他方の辺部である第２辺部とが、スリーブ状部を筒状に形成して底部を組み立てた場合に、第１側板部と第１隣接側板部との境界線の下端位置である第１下端位置と該第１下端位置と対角位置の下端位置で第３側板部と第２隣接側板部との境界線の下端位置である第２下端位置とを結ぶ対角線を介して第１辺部と第２辺部とが互いに反対側に形成され、一対の辺部のうち第１辺部と第１基準折れ線の方向との間の角度が、０度よりも大きく、かつ、第１基準折れ線と対角線との間の角度よりも小さく形成されるとともに、一対の辺部のうち第２辺部と第１基準折れ線の方向との間の角度が、第１基準折れ線と対角線との間の角度よりも大きく、かつ、９０度よりも小さく形成され、第１切欠部の先端の方向が、第１基準折れ線の方向と直角の方向よりも第１下端位置側に傾斜し、かつ、第１基準折れ線の方向と平行な方向よりも第１下端位置側に傾斜した方向であり、第１切欠部が形成されていることにより、第１片部の突状部の先端における第１切欠部側が第１基準折れ線と略平行な方向に突出した突出部が形成され、第３片部が、第３片部が連設された側板部との境界をなす折れ線である第２基準折れ線を介して連設され、該第２基準折れ線に対して約４５度の角度をなす傾斜辺部で、第３側板部に隣接し第１隣接側板部と相対する側板部である第２隣接側板部と第３側板部間の境界線の下端位置又はその近傍から伸びた直線状の傾斜辺部を有する本体部と、第３片部の本体部から該傾斜辺部の一部である折れ線を介して連設された突状部とを有するとともに、第３片部には、第３片部が連設された側板部との境界をなす折れ線とは反対側にテーパ状の第２切欠部が形成され、第２切欠部において互いに対向してテーパ状を形成する一対の辺部のうち一方の辺部である第３辺部と他方の辺部である第４辺部とが、スリーブ状部を筒状に形成して底部を組み立てた場合に、該対角線を介して第３辺部と第４辺部とが互いに反対側に形成され、一対の辺部のうち第３辺部と第２基準折れ線の方向との間の角度が、０度よりも大きく、かつ、第２基準折れ線と対角線との間の角度よりも小さく形成されるとともに、一対の辺部のうち第４辺部と第２基準折れ線の方向との間の角度が、第２基準折れ線と対角線との間の角度よりも大きく、かつ、９０度よりも小さく形成され、第２切欠部の先端の方向が、第２基準折れ線の方向と直角の方向よりも第２下端位置側に傾斜し、かつ、第２基準折れ線の方向と平行な方向よりも第２下端位置側に傾斜した方向であり、第２切欠部が形成されていることにより、第３片部の突状部の先端における第２切欠部側が第２基準折れ線と略平行な方向に突出した突出部が形成され、第１片部の突状部が、第１隣接側板部の下端から連設された片部で、第２片部と第４片部のいずれか一方の片部と接着され、第３片部の突状部が、第２隣接側板部の下端から連設された片部で、第２片部と第４片部のいずれか他方の片部と接着されており、包装箱を組み立てた状態では、第１片部の第１切欠部形成領域と第２片部の切欠部形成領域とが互いに係合することにより包装箱の底部が構成されることを特徴とする包装箱。」としてもよい。
【００４５】
また、第２には、上記第１の構成において、第１切欠部の先端が、第１下端位置又はその近傍の側に向けて形成され、第２切欠部の先端が、第２下端位置又はその近傍の側に向けて形成されていることを特徴とする。
【００４６】
また、第３には、上記第１又は第２の構成において、第１切欠部の先端位置と第２切欠部の先端位置が、上記対角線の中央位置と略一致することを特徴とする。これにより、第１切欠部の先端と第２切欠部の先端同士が係合するので、底部に開口部が形成されてしまうおそれがない。
【００４７】
また、第４には、上記第１から第３までのいずれかの構成において、スリーブ状部を構成する第１側面部と第２側面部と第３側面部と第４側面部の横方向の幅が略同一であり、スリーブ状部を筒状に形成して底部を組み立てた場合に、第１片部の傾斜辺部と第３片部の傾斜辺部とが、包装箱の底面視において、上記対角線と略一致し、第１切欠部は第１片部の傾斜辺部の延長線上に形成され、第２切欠部は第３片部の傾斜辺部の延長線上に形成されていることを特徴とする。
【００４８】
また、第５には、上記第４の構成において、第２片部と第４片部は、略台形形状における先端側の一対の角部における一方の角部に突状の先端部を有し、第２片部の先端部は、第１片部と第３片部において第２片部が接着されている片部の突状部に接着され、第４片部の先端部は、第１片部と第３片部において第４片部が接着されている片部の突状部に接着されていることを特徴とする。よって、第１片部の突状部における突出部と第３片部の突状部における突出部を補強することができる。
【００４９】
また、第６には、上記第１から第３までのいずれかの構成において、スリーブ状部を構成する第１側面部と第３側面部の横方向の幅が略同一で、第２側面部と第４側面部の横方向の幅が略同一であり、第１側面部及び第３側面部の横方向の幅が第２側面部と第４側面部の横方向の幅よりも大きく形成され、第１切欠部は第１片部の本体部に形成され、第２切欠部は第３片部の本体部に形成されていることを特徴とする。
【００５０】
また、第７には、上記第６の構成において、第１片部の本体部において、第１切欠部の先端位置から第１片部の本体部と第１片部の突状部間の折れ線に向けて第１基準折れ線に対して略平行な罫線が形成され、また、第３片部の本体部において、第２切欠部の先端位置から第３片部の本体部と第３片部の突状部間の折れ線に向けて第２基準折れ線に対して略平行な罫線が形成されていることを特徴とする。
【００５１】
よって、第１片部の突出部が第３片部の本体部に接触しても罫線により罫線よりも先端の部分が罫線を介してわずかに折曲するので、第１切欠部付近における皺の発生を防止することができ、また、第３片部の突出部が第１片部の本体部に接触しても罫線により罫線よりも先端の部分が罫線を介してわずかに折曲するので、第２切欠部付近における皺の発生を防止することができる。
【００５２】
また、第８には、包装箱であって、包装箱の側面を形成するスリーブ状部で、方形状の第１側板部と、第１側板部の側端に折れ線を介して連設された方形状の第２側板部と、第２側板部の側端に折れ線を介して連設された方形状の第３側板部と、第３側板部の側端に折れ線を介して連設された方形状の第４側板部とを有し、包装箱の組立て状態では、該第１側板部と該第２側板部と該第３側板部と該第４側板部とでスリーブ状に形成され、第１側面部と第２側面部と第３側面部と第４側面部の横方向の幅が略同一であるスリーブ状部と、該スリーブ状部から連設された底部で、該第１側板部の下端から折れ線を介して連設された第１片部と、該第２側板部の下端から折れ線を介して連設された第２片部と、該第３側板部の下端から折れ線を介して連設された第３片部と、該第４側板部の下端から折れ線を介して連設された第４片部と、を有する底部と、を有し、第１片部が、第１側板部との境界をなす折れ線である第１基準折れ線を介して連設された本体部で、該第１基準折れ線に対して約４５度の角度をなす傾斜辺部で、第１側板部に隣接する側板部である第１隣接側板部と第１側板部間の境界線の下端位置である第１下端位置又はその近傍から伸びた直線状の傾斜辺部を有する本体部と、本体部から該傾斜辺部の少なくとも一部である折れ線を介して連設された突状部とを有するとともに、第１片部には、第１基準折れ線とは反対側にテーパ状の第１切欠部が形成され、第１切欠部において互いに対向してテーパ状を形成する一対の辺部のうち一方の辺部である第１辺部と他方の辺部である第２辺部とが、ともに、第１基準折れ線に近づくに従い第１基準折れ線の方向において第１下端位置の側に近づくように第１基準折れ線に対して傾斜して形成され、傾斜辺部の延長線を介して第１辺部と第２辺部とが互いに反対側に形成され、一対の辺部のうち第１辺部と第１基準折れ線の方向との間の角度が、４５度よりも小さく形成されるとともに、第２辺部と第１基準折れ線の方向との間の角度が、４５度よりも大きく形成され、第１切欠部の先端が第１下端位置又はその近傍の側に向けて形成され、第１切欠部が形成されていることにより、第１片部の突状部の先端における第１切欠部側が第１基準折れ線と略平行な方向に突出した突出部が形成され、第３片部が、第３側板部との境界をなす折れ線である第２基準折れ線を介して連設された本体部で、該第２基準折れ線に対して約４５度の角度をなす傾斜辺部で、第３側板部に隣接し第１隣接側板部と相対する側板部である第２隣接側板部と第３側板部間の境界線の下端位置である第２下端位置又はその近傍から伸びた直線状の傾斜辺部を有する本体部と、第３片部の本体部から該傾斜辺部の少なくとも一部である折れ線を介して連設された突状部とを有するとともに、第３片部には、第２基準折れ線とは反対側にテーパ状の第２切欠部が形成され、第２切欠部において互いに対向してテーパ状を形成する一対の辺部のうち一方の辺部である第３辺部と他方の辺部である第４辺部とが、ともに、第２基準折れ線に近づくに従い第２基準折れ線の方向において第２下端位置の側に近づくように第２基準折れ線に対して傾斜して形成され、傾斜辺部の延長線を介して第３辺部と第４辺部とが互いに反対側に形成され、第３辺部と第２基準折れ線の方向との間の角度が、４５度よりも小さく形成されるとともに、第４辺部と第２基準折れ線の方向との間の角度が、４５度よりも大きく形成され、第２切欠部の先端が第２下端位置又はその近傍の側に向けて形成され、第２切欠部が形成されていることにより、第３片部の突状部の先端における第２切欠部側が第２基準折れ線と略平行な方向に突出した突出部が形成され、第１切欠部の先端位置と第２切欠部の先端位置が、上記対角線の中央位置と略一致し、第１片部の突状部が、第１隣接側板部の下端から連設された片部で、第２片部と第４片部のいずれか一方の片部と接着され、第３片部の突状部が、第２隣接側板部の下端から連設された片部で、第２片部と第４片部のいずれか他方の片部と接着されており、第２片部と第４片部は、略台形形状における先端側の一対の角部における一方の角部に突状の先端部を有し、第２片部の先端部は、第１片部と第３片部において第２片部が接着されている片部の突状部に接着され、第４片部の先端部は、第１片部と第３片部において第４片部が接着されている片部の突状部に接着されており、包装箱を組み立てた状態では、第１片部の第１切欠部形成領域と第２片部の切欠部形成領域とが互いに係合することにより包装箱の底部が構成されることを特徴とする。
【００５３】
上記第８の構成においては、包装箱が組み立てられた状態では、第１片部の第１切欠部形成箇所と第３片部の第２切欠部形成箇所が互いに係合した状態となっていて、底部を強固に平面状に維持している。特に、第１切欠部において互いに対向してテーパ状を形成する一対の辺部が、ともに、第１基準折れ線に近づくに従い第１基準折れ線の方向において第１下端位置の側に近づくように第１基準折れ線に対して傾斜して形成され、第１辺部と第１基準折れ線の方向との間の角度が、４５度よりも小さく形成されるとともに、第２辺部と第１基準折れ線の方向との間の角度が、４５度よりも大きく形成され、第１切欠部の先端が第１下端位置又はその近傍の側に向けて形成され、第１切欠部が形成されていることにより、第１片部の突状部の先端における第１切欠部側が第１基準折れ線と略平行な方向に突出した突出部が形成され、第２切欠部において互いに対向してテーパ状を形成する一対の辺部が、ともに、第２基準折れ線に近づくに従い第２基準折れ線の方向において第２下端位置の側に近づくように第２基準折れ線に対して傾斜して形成され、第３辺部と第２基準折れ線の方向との間の角度が、４５度よりも小さく形成されるとともに、第４辺部と第２基準折れ線の方向との間の角度が、４５度よりも大きく形成され、第２切欠部の先端が第２下端位置又はその近傍の側に向けて形成され、第２切欠部が形成されていることにより、第３片部の突状部の先端における第２切欠部側が第２基準折れ線と略平行な方向に突出した突出部が形成されているので、第１片部の第１切欠部形成領域と第２片部の切欠部形成領域とが互いに係合すると、第１片部と第３片部とが互いに噛み合った状態となり、特に、第１片部の突出部が第３片部の本体部を押した状態となり、第３片部の突出部が第１片部の本体部を押した状態となるので、容易に折り畳み状態に戻ることがなく、底部を強固に平面状に維持することができる。
【００５４】
また、第１切欠部と第２切欠部において、テーパ状を形成する一対の辺部のうち一方の辺部と他方の辺部とが傾斜辺部の延長線を介して互いに反対側に形成されているので、包装箱を組み立てた状態においても第１辺部と第３辺部とが接触せず、第２辺部と第４辺部とが接触せず、包装箱を組立て状態と折り畳み状態との間で繰り返し変形しても第１片部の本体部と第３片部の本体部とが損傷することがない。
【００５５】
また、第１切欠部の先端位置と第２切欠部の先端位置が、上記対角線の中央位置と略一致するので、第１切欠部の先端と第２切欠部の先端同士が係合するので、底部に開口部が形成されてしまうおそれがない。
【００５６】
また、第２片部と第４片部は、略台形形状における先端側の一対の角部における一方の角部に突状の先端部を有し、第２片部の先端部は、第１片部と第３片部において第２片部が接着されている片部の突状部に接着され、第４片部の先端部は、第１片部と第３片部において第４片部が接着されている片部の突状部に接着されているので、第１片部の突状部における突出部と第３片部の突状部における突出部を補強することができる。
【００５７】
また、第９には、包装箱であって、包装箱の側面を形成するスリーブ状部で、方形状の第１側板部と、第１側板部の側端に折れ線を介して連設された方形状の第２側板部と、第２側板部の側端に折れ線を介して連設された方形状の第３側板部と、第３側板部の側端に折れ線を介して連設された方形状の第４側板部とを有し、包装箱の組立て状態では、該第１側板部と該第２側板部と該第３側板部と該第４側板部とでスリーブ状に形成され、第１側面部と第３側面部の横方向の幅が略同一で、第２側面部と第４側面部の横方向の幅が略同一であり、第１側面部及び第３側面部の横方向の幅が第２側面部と第４側面部の横方向の幅よりも大きく形成されたスリーブ状部と、該スリーブ状部から連設された底部で、該第１側板部の下端から折れ線を介して連設された第１片部と、該第２側板部の下端から折れ線を介して連設された第２片部と、該第３側板部の下端から折れ線を介して連設された第３片部と、該第４側板部の下端から折れ線を介して連設された第４片部と、を有する底部と、を有し、第１片部が、第１側板部との境界をなす折れ線である第１基準折れ線を介して連設された本体部で、該第１基準折れ線に対して約４５度の角度をなす傾斜辺部で、第１側板部に隣接する側板部である第１隣接側板部と第１側板部間の境界線の下端位置である第１下端位置又はその近傍から伸びた直線状の傾斜辺部を有する本体部と、本体部から該傾斜辺部の少なくとも一部である折れ線を介して連設された突状部とを有するとともに、第１片部の本体部には、第１基準折れ線とは反対側にテーパ状の第１切欠部が形成され、第１切欠部において互いに対向してテーパ状を形成する一対の辺部のうち一方の辺部である第１辺部と他方の辺部である第２辺部とが、ともに、第１基準折れ線に近づくに従い第１基準折れ線の方向において第１下端位置の側に近づくように第１基準折れ線に対して傾斜して形成され、スリーブ状部を筒状に形成して底部を組み立てた場合に、第１側板部と第１隣接側板部との境界線の下端位置である第１下端位置と該第１下端位置と対角位置の下端位置で第３側板部と第２隣接側板部との境界線の下端位置である第２下端位置とを結ぶ対角線を介して第１辺部と第２辺部とが互いに反対側に形成され、第１辺部と第１基準折れ線の方向との間の角度が、第１基準折れ線と対角線との間の角度よりも小さく形成されるとともに、第２辺部と第１基準折れ線の方向との間の角度が、第１基準折れ線と対角線との間の角度よりも大きく形成され、第１切欠部の先端が、第１下端位置又はその近傍の側に向けて形成され、第１切欠部が形成されていることにより、第１片部の突状部の先端における第１切欠部側が第１基準折れ線と略平行な方向に突出した突出部が形成され、第３片部が、第３側板部との境界をなす折れ線である第２基準折れ線を介して連設された本体部で、該第２基準折れ線に対して約４５度の角度をなす傾斜辺部で、第３側板部に隣接し第１隣接側板部と相対する側板部である第２隣接側板部と第３側板部間の境界線の下端位置である第２下端位置又はその近傍から伸びた直線状の傾斜辺部を有する本体部と、第３片部の本体部から該傾斜辺部の一部である折れ線を介して連設された突状部とを有するとともに、第３片部の本体部には、第２基準折れ線とは反対側にテーパ状の第２切欠部が形成され、第２切欠部において互いに対向してテーパ状を形成する一対の辺部のうち一方の辺部である第３辺部と他方の辺部である第４辺部とが、ともに、第２基準折れ線に近づくに従い第２基準折れ線の方向において第２下端位置の側に近づくように第２基準折れ線に対して傾斜して形成され、スリーブ状部を筒状に形成して底部を組み立てた場合に、該対角線を介して第３辺部と第４辺部とが互いに反対側に形成され、第３辺部と第２基準折れ線の方向との間の角度が、第２基準折れ線と対角線との間の角度よりも小さく形成されるとともに、第４辺部と第２基準折れ線の方向との間の角度が、第２基準折れ線と対角線との間の角度よりも大きく形成され、第２切欠部の先端が、第２下端位置又はその近傍の側に向けて形成され、第２切欠部が形成されていることにより、第３片部の突状部の先端における第２切欠部側が第２基準折れ線と略平行な方向に突出した突出部が形成され、第１切欠部の先端位置と第２切欠部の先端位置が、上記対角線の中央位置と略一致し、第１片部の突状部が、第１隣接側板部の下端から連設された片部で、第２片部と第４片部のいずれか一方の片部と接着され、第３片部の突状部が、第２隣接側板部の下端から連設された片部で、第２片部と第４片部のいずれか他方の片部と接着されており、包装箱を組み立てた状態では、第１片部の第１切欠部形成領域と第２片部の切欠部形成領域とが互いに係合することにより包装箱の底部が構成されることを特徴とする。
【００５８】
上記第９の構成においては、包装箱が組み立てられた状態では、第１片部の第１切欠部形成箇所と第３片部の第２切欠部形成箇所が互いに係合した状態となっていて、底部を強固に平面状に維持している。特に、第１切欠部において互いに対向してテーパ状を形成する一対の辺部が、ともに、第１基準折れ線に近づくに従い第１基準折れ線の方向において第１下端位置の側に近づくように第１基準折れ線に対して傾斜して形成され、第１辺部と第１基準折れ線の方向との間の角度が、第１基準折れ線と対角線との間の角度よりも小さく形成されるとともに、第２辺部と第１基準折れ線の方向との間の角度が、第１基準折れ線と対角線との間の角度よりも大きく形成され、第１切欠部の先端が、第１下端位置又はその近傍の側に向けて形成され、第１切欠部が形成されていることにより、第１片部の突状部の先端における第１切欠部側が第１基準折れ線と略平行な方向に突出した突出部が形成され、第２切欠部において互いに対向してテーパ状を形成する一対の辺部が、ともに、第２基準折れ線に近づくに従い第２基準折れ線の方向において第２下端位置の側に近づくように第２基準折れ線に対して傾斜して形成され、第３辺部と第２基準折れ線の方向との間の角度が、第２基準折れ線と対角線との間の角度よりも小さく形成されるとともに、第４辺部と第２基準折れ線の方向との間の角度が、第２基準折れ線と対角線との間の角度よりも大きく形成され、第２切欠部の先端が、第２下端位置又はその近傍の側に向けて形成され、第２切欠部が形成されていることにより、第３片部の突状部の先端における第２切欠部側が第２基準折れ線と略平行な方向に突出した突出部が形成されているので、第１片部の第１切欠部形成領域と第２片部の切欠部形成領域とが互いに係合すると、第１片部と第３片部とが互いに噛み合った状態となり、特に、第１片部の突出部が第３片部の本体部を押した状態となり、第３片部の突出部が第１片部の本体部を押した状態となるので、容易に折り畳み状態に戻ることがなく、底部を強固に平面状に維持することができる。
【００５９】
また、第１切欠部と第２切欠部において、テーパ状を形成する一対の辺部のうち一方の辺部と他方の辺部とが対角線を介して互いに反対側に形成されているので、包装箱を組み立てた状態においても第１辺部と第３辺部とが接触せず、第２辺部と第４辺部とが接触せず、包装箱を組立て状態と折り畳み状態との間で繰り返し変形しても第１片部の本体部と第３片部の本体部とが損傷することがない。
【００６０】
また、第１０には、上記第９の構成において、第１片部の本体部において、第１切欠部の先端位置から第１片部の本体部と第１片部の突状部間の折れ線に向けて第１基準折れ線に対して略平行な罫線が形成され、また、第３片部の本体部において、第２切欠部の先端位置から第３片部の本体部と第３片部の突状部間の折れ線に向けて第２基準折れ線に対して略平行な罫線が形成されていることを特徴とする。
【００６１】
よって、第１片部の突出部が第３片部の本体部に接触しても罫線により罫線よりも先端の部分が罫線を介してわずかに折曲するので、第１切欠部付近における皺の発生を防止することができ、また、第３片部の突出部が第１片部の本体部に接触しても罫線により罫線よりも先端の部分が罫線を介してわずかに折曲するので、第２切欠部付近における皺の発生を防止することができる。
【考案の効果】
【００６２】
本考案に基づく包装箱によれば、包装箱が組み立てられた状態では、第１片部の第１切欠部形成箇所と第３片部の第２切欠部形成箇所が互いに係合した状態となっていて、底部を強固に平面状に維持し、特に、第１片部の突出部が第３片部の本体部を押した状態となり、第３片部の突出部が第１片部の本体部を押した状態となるので、容易に折り畳み状態に戻ることがなく、底部を強固に平面状に維持することができる。
【００６３】
また、第１切欠部と第２切欠部において、テーパ状を形成する一対の辺部のうち一方の辺部と他方の辺部とが対角線を介して互いに反対側に形成されているので、包装箱を組み立てた状態においても第１辺部と第３辺部とが接触せず、第２辺部と第４辺部とが接触せず、包装箱を組立て状態と折り畳み状態との間で繰り返し変形しても第１片部の本体部と第３片部の本体部とが損傷することがない。
【図面の簡単な説明】
【００６４】
【図１】本考案の実施例１に基づく包装箱を示す上方斜視図である。
【図２】本考案の実施例１に基づく包装箱を示す下方斜視図である。
【図３】本考案の実施例１に基づく包装箱を示す底面図である。
【図４】本考案の実施例１に基づく包装箱の内側の状態を示す平面図である。
【図５】本考案の実施例１に基づく包装箱の展開図である。
【図６】図５における要部拡大図である。
【図７】包装箱を折り畳む途中の状態を示す底面図である。
【図８】包装箱を折り畳んだ状態を示す斜視図である。
【図９】本考案の実施例２に基づく包装箱を示す上方斜視図である。
【図１０】本考案の実施例２に基づく包装箱を示す下方斜視図である。
【図１１】本考案の実施例２に基づく包装箱を示す底面図である。
【図１２】本考案の実施例２に基づく包装箱の内側の状態を示す平面図である。
【図１３】本考案の実施例２に基づく包装箱の展開図である。
【図１４】図１３における要部拡大図である。
【図１５】包装箱を折り畳む途中の状態を示す底面図である。
【図１６】包装箱を折り畳んだ状態を示す斜視図である。
【図１７】本考案の実施例２の変形例に基づく包装箱を示す底面図である。
【図１８】本考案の実施例２の変形例に基づく包装箱の展開図である。
【図１９】本考案の実施例３に基づく包装箱の展開図である。
【図２０】図１９における要部拡大図である。
【図２１】本考案の実施例３に基づく包装箱を示す底面図である。
【図２２】本考案の実施例４に基づく包装箱の展開図である。
【図２３】図２２における要部拡大図である。
【図２４】本考案の実施例４に基づく包装箱を示す底面図である。
【図２５】本考案の実施例４の変形例に基づく包装箱を示す底面図である。
【図２６】従来の包装箱を示す底面図である。
【図２７】従来の包装箱の内側の状態を示す平面図である。
【図２８】従来の包装箱の折り畳む途中の状態を示す底面図である。
【図２９】従来の包装箱を示す展開図である。
【図３０】図２９における要部拡大図である。
【図３１】従来の包装箱を示す底面図である。
【図３２】従来の包装箱を示す展開図である。
【図３３】図３２における要部拡大図である。
【図３４】従来の包装箱を示す展開図である。
【図３５】図３４における要部拡大図である。
【考案を実施するための形態】
【００６５】
本考案においては、ボトムロック式の底部を有する包装箱において、組立て状態と折畳み状態との間で変形を繰り返しても底部を損傷することがなく、かつ、包装箱の組立て状態において、底部を強固に平面状に維持することができるものを提供するという目的を以下のようにして実現した。
【実施例１】
【００６６】
本考案に基づく包装箱Ａ１は、図１〜図６に示すように構成され、糊代部１０と、背面部１２（第１側面部）と、左側面部１４（第２側面部）と、正面部１６（第３側面部）と、右側面部１８（第４側面部）と、上面部２０と、差込み片部２２と、底部３０とを有している。この包装箱Ａ１は、１枚のシート状のブランク（具体的には、段ボール製（例えば、薄型段ボール製）のブランク）により形成されている。
【００６７】
正面部１６と右側面部１８と左側面部１４と背面部１２は、それぞれが包装箱Ａ１の側面を形成し、方形状の板状を呈していて、縦方向及び横方向の幅は同一に形成されている。また、糊代部１０は背面部１２の側辺から折れ線を介して連設され、台形状の板状を呈し、右側面部１８の内側に接着されて、正面部１６と右側面部１８と左側面部１４と背面部１２と糊代部１０によりスリーブ状部５が形成される。
【００６８】
また、上面部２０は、背面部１２の上端から折れ線を介して連設され、スリーブ状部５を組み立てた場合の開口部の大きさと略同様の大きさの方形状を呈している。差込み片部２２は、細長長方形状の角部にアールを形成した形状を呈し、上面部２０の先端から折れ線を介して連設され、スリーブ状部５の開口部を上面部２０により閉じる際に、正面部１６の内側に差し込まれる。
【００６９】
また、底部３０は、第１フラップ４０（第１片部）と、第２フラップ５０（第２片部）と、第３フラップ６０（第３片部）と、第４フラップ７０（第４片部）とから構成され、第１フラップ４０及び第３フラップ６０と、第２フラップ５０及び第４フラップ７０とは、スリーブ状部５を構成する各部における相対する部材の下辺に連設されていて、第１フラップ４０が、背面部１２の下辺から折れ線を介して連設されているとともに、第３フラップ６０が、正面部１６の下辺から折れ線を介して連設されており、第２フラップ５０が、左側面部１４の下辺から折れ線を介して連設されているとともに、第４フラップ７０が、右側面部１８の下辺から折れ線を介して連設されている。第１フラップ４０と第３フラップ６０とは、同大同形状に形成され、第２フラップ５０と第４フラップ７０とは、同大同形状に形成されている。
【００７０】
ここで、第１フラップ４０と第３フラップ６０とは同様の構成であるので、背面部１２から折れ線を介して連設された第１フラップ４０（第１片部）を例にとって説明すると、第１フラップ４０は、背面部１２の下辺から折れ線４０ａ（第１基準折れ線）を介して連設された略台形形状を有するフラップ本体４２（本体部（第１本体部））と、フラップ本体４２の一方の傾斜辺から折れ線を介して連設されている突状部４４（第１突状部）とを有している。
【００７１】
ここで、フラップ本体４２は、略台形形状の板状をなし、背面部１２との境界の折れ線４０ａと、背面部１２の下端（つまり、折れ線４０ａ）の糊代部１０側の端部から連設された直線状の辺部４６ａと、辺部４６ａの折れ線４０ａ側とは反対側の端部から連設された直線状の辺部４６ｂと、辺部４６ｂの辺部４６ａ側とは反対側の端部から折れ線４０ａ側に斜めに連設された直線状の辺部４６ｃと、辺部４６ｃの辺部４６ｂ側とは反対側の端部から連設された略円弧状（円弧状としてもよい）の辺部４６ｄの一部と、辺部４６ｄの途中位置から連設された直線状の折れ線４０ｂと、折れ線４０ｂの辺部４６ｄ側とは反対側の端部から連設された直線状の辺部４６ｍとにより囲まれた形状を呈している。なお、フラップ本体４２自体としては、折れ線４０ｂと辺部４６ｍとは、１つの直線状の傾斜辺部を構成する。折れ線４０ｂと辺部４６ｍからなる傾斜辺部は、背面部１２に隣接する左側面部１４（第１隣接側面部）と背面部１２間の境界線の下端位置又はその近傍から伸びている。
【００７２】
辺部４６ａと折れ線４０ａとの間の角度α１は、鋭角（７５度〜８５度）であり、辺部４６ｂは、折れ線４０ａと平行（略平行としてもよい）であり、辺部４６ｂと辺部４６ａとの間の角度α２は、鈍角（９５度〜１０５度）である。また、辺部４６ｃと辺部４６ｂとの間の角度α３は、鈍角（１５０度〜１６０度）である。
【００７３】
辺部４６ｃは折れ線４０ａの方向とは４５度よりも小さい角度をなしている。つまり、辺部４６ｃが折れ線４０ａと平行な方向となす角度α４は０度よりも大きく４５度よりも小さい角度をなしている。辺部４６ｃの一方の端部は、折れ線４０ａと直角な方向よりも背面部１２と左側面部１４との境界線の下端位置Ｇ（第１下端位置、つまり、角部Ｗ１と同じ位置）側を向いているとともに、折れ線４０ａと平行な方向よりも該下端位置Ｇ側を向いている。さらに、辺部４６ｃは、折れ線４０ｂの延長線よりも離れた位置に形成されている。つまり、辺部４６ｃは、折れ線４０ｂの延長線よりも突状部４４側に突出していない。なお、辺部４６ｃの辺部４６ｄ側の端部が折れ線４０ｂの延長線と接するか、あるいは、該端部がわずかに折れ線４０ｂの延長線から突出する構成であってもよい。その場合には、辺部４６ｃにおける折れ線４０ｂの延長線よりも折れ線４０ａ側の部分が第１辺部（第３辺部）となる。
【００７４】
また、辺部４６ｄは、略半円状を呈し、折れ線４０ｂは、辺部４６ｄにおける両側の端部から間隔（辺部４６ｄに沿った長さ）を介した位置で辺部４６ｄと接している。また、折れ線４０ｂは、辺部４６ｍの延長線上にあり、辺部４６ｍと折れ線４０ｂとは、折れ線４０ａに対して略４５度（丁度４５度としてもよい）の角度をなしている。すなわち、角度α５は約４５度となっている。
【００７５】
また、突状部４４は、フラップ本体４２の辺部（つまり、折れ線４０ｂに対応する辺部）から突出して連設され、略三角形状を呈し、折れ線４０ｂと、略円弧状の辺部４６ｄの一部と、辺部４６ｄの辺部４６ｃ側とは反対側の端部から連設された直線状の辺部４６ｅと、辺部４６ｅの辺部４６ｄ側とは反対側の端部から連設された略円弧状（円弧状としてもよい）の辺部４６ｆと、辺部４６ｆの辺部４６ｅ側とは反対側の端部から連設された直線状の辺部４６ｇと、辺部４６ｇの辺部４６ｆ側とは反対側の端部から連設された略円弧状（円弧状としてもよい）の辺部４６ｈと、辺部４６ｈの辺部４６ｇ側とは反対側の端部から連設された直線状の辺部４６ｉと、辺部４６ｉの辺部４６ｈ側とは反対側の端部から連設された略円弧状（円弧状としてもよい）の辺部４６ｊと、辺部４６ｊの辺部４６ｉ側とは反対側の端部から連設された直線状の辺部４６ｋと、辺部４６ｋの辺部４６ｊ側とは反対側の端部から連設された辺部４６ｌとにより囲まれた形状を呈している。
【００７６】
辺部４６ｅは折れ線４０ａの方向と４５度よりも大きく９０度よりも小さい角度（好適には、４５度よりも大きく６０度よりも小さい角度（より好適には、約５０度））をなしている。つまり、辺部４６ｅが折れ線４０ａと平行な方向となす角度α６は４５度よりも大きく９０度よりも小さい角度をなしている。辺部４６ｅの一方の端部は、折れ線４０ａと直角な方向よりも下端位置Ｇ側を向いているとともに、折れ線４０ａと平行な方向よりも該下端位置Ｇ側を向いている。さらに、辺部４６ｅは、折れ線４０ｂの延長線よりも離れた位置に形成されている。なお、辺部４６ｃと辺部４６ｅとは、折れ線４０ｂの延長線を介して両側（すなわち、互いに反対側）に形成されている。
【００７７】
また、辺部４６ｉは、折れ線４０ａと平行（略平行としてもよい）であり、辺部４６ｉと辺部４６ｋとの間の角度α７は、９０度よりもやや大きい角度（９０度よりも大きく９５度より小さい角度）であり、辺部４６ｋと辺部４６ｌとの間の角度α８は、鈍角（１５０度〜１６０度）をなしている。
【００７８】
ここで、辺部４６ｃと辺部４６ｅは、互いに対向してテーパ状を形成する一対の辺部であり、辺部４６ｃが第１辺部に当たり、辺部４６ｅが第２辺部に当たる。なお、辺部４６ｃと辺部４６ｅが、ともに、折れ線４０ａに近づくに従い折れ線４０ａの方向（つまり、左右の方向）において下端位置Ｇの側に近づくように折れ線４０ａに対して傾斜して形成されている。
【００７９】
第１フラップ４０が上記のように構成されることにより、第１フラップ４０にはテーパ状（つまり、先細り形状）の切欠部Ｋ１（第１切欠部）が形成され、切欠部Ｋ１は、底面視において、四角形状に組み立てた状態のスリーブ状部５における下端の４つの角部のうち、折れ線４０ｂの基端側の角部Ｗ１（つまり、折れ線４０ｂの第１フラップ４０の基端側（背面部１２側）への延長線上又はその近傍にある角部）と角部Ｗ１の包装箱５の組立て状態における対角線上の角部Ｗ２（この角部Ｗ２の位置が第２下端位置となる）とを結ぶ対角線Ｗ（中心線）が切欠部Ｋ１を通過する位置に形成され、切欠部Ｋ１のテーパ状の先端の方向は、対角線の方向（折れ線４０ｂの方向）と略同一であり（切欠部Ｋ１の先端が角部Ｗ１の位置又はその近傍に向けて形成されているとしてもよい）、少なくとも、折れ線４０ａと直角な方向よりも背面部１２と左側面部１４との境界線の下端位置Ｇ（つまり、角部Ｗ１と同じ位置）側であるとともに、折れ線４０ａと平行な方向よりも該下端位置Ｇ側であるといえる。また、テーパ状の先端の位置Ｐは、底部３０を平面状に組み立てた際には、底部３０の中央位置Ｒと略一致する。これにより、底部３０を組み立てた際に、開口が形成されるのを防止することができる。また、この中央位置Ｒは、折れ線４０ｂと辺部４６ｄとが接する位置と略一致する。これにより、折れ線４０ｂと辺部４６ｍからなる傾斜辺部は、角部Ｗ１と角部Ｗ２を結ぶ対角線Ｗと一致し（略一致しとしてもよい）、角部Ｗ１と角部Ｗ２を結ぶ対角線の略半分の長さとなる。なお、切欠部Ｋ１は、対角線Ｗが通過する位置に形成されているので、切欠部Ｋ１の形成箇所と切欠部Ｋ２の形成箇所とが係合することができる。
【００８０】
第１フラップ４０にテーパ状の切欠部Ｋ１が形成されていることにより、突状部４４の折れ線４０ａとは反対側の先端におけるフラップ本体４２側は、折れ線４０ａと略平行な方向（図６では、左側方向）に突出した形状となっていて、突出部４４ａを有している。
【００８１】
また、突状部４４は、折れ線４０ａと直角の方向にフラップ本体４２よりも突出して形成され、突状部４４における折れ線４０ａとは反対側の端部と折れ線４０ａ間の長さ（折れ線４０ａと直角方向の長さ）ｈ１は、フラップ本体４２における折れ線４０ａとは反対側の端部と折れ線４０ａ間の長さ（折れ線４０ａと直角方向の長さ）ｈ２よりも大きく形成されている。
【００８２】
また、第２フラップ５０は、略台形形状における先端側の一方の角部が突出した形状を呈し、左側面部１４との境界の折れ線５０ａと、左側面部１４の下端（つまり、折れ線５０ａ）の背面部１２側の端部近傍から連設された直線状の辺部５６ａと、辺部５６ａの折れ線５０ａ側とは反対側の端部から連設された略円弧状の辺部５６ｂと、辺部５６ｂの辺部５６ａ側とは反対側の端部から連設された直線状の辺部５６ｃと、辺部５６ｃの辺部５６ｂ側とは反対側の端部から折れ線５０ａ側とは反対側に斜めに連設された直線状の辺部５６ｄと、辺部５６ｄの辺部５６ｃ側とは反対側の端部から連設された略円弧状の辺部５６ｅと、辺部５６ｅの辺部５６ｄ側とは反対側の端部から連設された直線状の辺部５６ｆと、辺部５６ｆの辺部５６ｅ側とは反対側の端部から連設された略円弧状の辺部５６ｇと、辺部５６ｇの辺部５６ｆ側とは反対側の端部から連設された直線状の辺部５６ｈと、辺部５６ｈの辺部５６ｇ側とは反対側の端部から連設された直線状の辺部５６ｉとにより囲まれた形状を呈している。
【００８３】
ここで、辺部５６ａと折れ線５０ａ間の角度β１は鋭角（６０度〜７０度）をなし、辺部５６ｃは折れ線５０ａと略平行（丁度平行としてもよい）となっている。また、辺部５６ｉと折れ線５０ａ間の角度β２は、４５度（略４５度としてもよい）となっている。また、辺部５６ｈは、折れ線５０ａと略直角（丁度直角としてもよい）となっている。第２フラップ５０においては、辺部５６ｄ〜５６ｈにより折れ線５０ａに対して略直角方向に突出した形状となっていて、辺部５６ｃと辺部５６ｄの接続位置と辺部５６ｈと辺部５６ｉの接続位置を結ぶ直線状の仮想線５６ｊを介して、基端側を基端部５２とし、先端側を先端部５４とすると、先端部５４が基端部５２から突出した形状となっている。
【００８４】
また、基端部５２における折れ線５０ａとは反対側の端部と折れ線５０ａ間の長さｈ３は、第１フラップ４０におけるテーパ状の切欠部Ｋ１と背面部１２と左側面部１４間の境界線間の折れ線４０ａの方向における長さｈ４と略同一に（又は長さｈ４よりも短く）形成されている。
【００８５】
包装箱Ａ１の製函状態においては、第２フラップ５０は第１フラップ４０の突状部４４に接着されていて、包装箱Ａ１を組み立てた状態では、第２フラップ５０の下面と第１フラップ４０の突状部４４の上面とが接着し、特に、第１フラップ４０の辺部４６ｉが第２フラップ５０の辺部５６ｈと略平行になるように接着される。また、第２フラップ５０と第１フラップ４０とが接着した状態では、先端部５４の少なくとも一部は、第１フラップ４０における突出部４４ａと重なっていて、第１フラップ４０の突状部４４を補強している。
【００８６】
また、第３フラップ６０は、正面部１６の下辺から折れ線６０ａ（第２基準折れ線）を介して連設され略台形形状を有するフラップ本体６２（本体部（第２本体部））と、フラップ本体６２の一方の傾斜辺から折れ線６０ｂを介して連設されている突状部６４（第２突状部）とを有している。第３フラップ６０の構成は、第１フラップ４０の構成と同一であり、フラップ本体６２は、フラップ本体４２と同一の構成であり、突状部６４は、突状部４４と同一の構成であるので、詳しい説明を省略する。第３フラップ６０には、切欠部Ｋ１と同一の構成の切欠部Ｋ２（第２切欠部）が形成されている。なお、折れ線６０ｂと辺部６６ｍからなる直線状の傾斜辺部は、正面部１６に隣接する右側面部１８（第２隣接側面部）と正面部１６の境界線の下端位置又はその近傍から伸びている。また、辺部６６ｃと辺部６６ｅは、互いに対向してテーパ状を形成する一対の辺部であり、辺部６６ｃが第３辺部に当たり、辺部６６ｅが第４辺部に当たる。辺部６６ｃは、辺部４６ｃと同一の構成であり、辺部６６ｅは、辺部４６ｅと同一の構成である。
【００８７】
また、第４フラップ７０は、略台形形状における先端側の一方の角部が突出した形状を呈している。第４フラップ７０は、基端部７２と基端部７２から突出した先端部７４とを有している。第４フラップ７０の構成は、第２フラップ５０と同一の構成であり、基端部７２は基端部５２と同一の構成であり、先端部７４は先端部５４と同一の構成であるので、詳しい説明を省略する。
【００８８】
包装箱Ａ１の製函状態においては、第４フラップ７０は第３フラップ６０の突状部６４に接着されていて、包装箱Ａ１を組み立てた状態では、第４フラップ７０の下面と第３フラップ６０の突状部６４の上面とが接着し、特に、第３フラップ６０の辺部６６ｉが第４フラップ７０の辺部７６ｈと略平行になるように接着される。また、第４フラップ７０と第３フラップ６０とが接着した状態では、先端部７４の少なくとも一部は、第３フラップ６０における突出部６４ａ（突出部４４ａと同様の構成の突出部）と重なっていて、第３フラップ６０の突状部６４を補強している。
【００８９】
また、包装箱Ａ１が組み立てられた状態では、図３、図４に示すように、第１フラップ４０の切欠部Ｋ１の形成箇所と第３フラップ６０の切欠部Ｋ２の形成箇所が互いに係合した状態となっていて、底部３０を強固に平面状に維持している。特に、切欠部Ｋ１のテーパ状の先端の方向は、対角線Ｗの方向（つまり、折れ線４０ｂの方向）と略同一であり、第１フラップ４０の突状部４４の突出部４４ａが折れ線４０ａと略平行（丁度平行としてもよい）な方向に突出し、また、切欠部Ｋ２のテーパ状の先端の方向は、対角線Ｗの方向（つまり、折れ線６０ｂの方向）と略同一であり（切欠部Ｋ２の先端が角部Ｗ２の位置又はその近傍に向けて形成されているとしてもよい）、第３フラップ６０の突状部６４の突出部６４ａが折れ線６０ａと略平行（丁度平行としてもよい）な方向に突出しているので、包装箱Ａ１の底面視において、図３に示すように、突出部４４ａの先端と突出部６４ａの先端における一方が他方に対して折れ線４０ａや折れ線６０ａと略平行な方向に突出していて、第１フラップ４０と第３フラップ６０とが互いに噛み合った状態となるので、底部３０を強固に平面状に維持している。特に、図３の状態では、突出部４４ａがフラップ本体６２を押した状態となり、突出部６４ａがフラップ本体４２を押した状態となるので、容易に折り畳み状態に戻ることがない。そして、図３に示すように、２つの折れ線４０ｂ、６０ｂは略一直線状をなすとともに、図４に示すように、第１フラップ４０の辺部４６ｃと第３フラップ６０の辺部６６ｃも略一直線上をなしている。
【００９０】
つまり、切欠部Ｋ１において互いに対向してテーパ状を形成する一対の辺部４６ｃ、４６ｅが、ともに、折れ線４０ａに近づくに従い折れ線４０ａの方向において第１下端位置（つまり、角部Ｗ１の位置）の側に近づくように折れ線４０ａに対して傾斜して形成され、辺部４６ｃと折れ線４０ａの方向との間の角度が、折れ線４０ａと対角線との間の角度よりも小さく形成されるとともに、辺部４６ｅと折れ線４０ａの方向との間の角度が、折れ線４０ａと対角線との間の角度よりも大きく形成され、切欠部Ｋ１が形成されていることにより、第１フラップ４０の突状部４４の先端における切欠部Ｋ１側が折れ線４０ａと略平行な方向に突出した突出部４４ａが形成され、切欠部Ｋ２において互いに対向してテーパ状を形成する一対の辺部６６ｃ、６６ｅが、ともに、折れ線６０ａに近づくに従い折れ線６０ａの方向において第２下端位置（つまり、角部Ｗ２の位置）の側に近づくように折れ線６０ａに対して傾斜して形成され、辺部６６ｃと折れ線６０ａの方向との間の角度が、折れ線６０ａと対角線との間の角度よりも小さく形成されるとともに、辺部６６ｅと折れ線６０ａの方向との間の角度が、折れ線６０ａと対角線との間の角度よりも大きく形成され、切欠部Ｋ２が形成されていることにより、第３フラップ６０の突状部６４の先端における切欠部Ｋ２側が折れ線６０ａと略平行な方向に突出した突出部６４ａが形成されているので、第１フラップ４０の切欠部Ｋ１形成領域と第３フラップ６０の切欠部Ｋ２形成領域とが互いに係合すると、第１フラップ４０と第３フラップ６０とが互いに噛み合った状態となり、特に、第１フラップ４０の突出部４４ａが第３フラップ６０のフラップ本体６２を押した状態となり、第３フラップ６０の突出部６４ａが第１フラップ４０のフラップ本体４２を押した状態となるので、容易に折り畳み状態に戻ることがなく、底部を強固に平面状に維持することができる。
【００９１】
包装箱Ａ１において、組立て状態から折り畳み状態にするには、スリーブ状部５を折り畳むことにより、底部３０を構成する各部がスリーブ状部５の内部に畳まれた状態となる。すなわち、組立て状態から折り畳み状態に至る途中においては、右側面部１８を正面部１６側に傾動させるとともに、左側面部１４を背面部１２側に傾動させると、その底面視は図７に示すようになり、さらに、包装箱Ａ１を折り畳んだ状態では図８に示すような状態となる。その際、第１フラップ４０においては、突状部４４がフラップ本体４２に対して折れ線を介して折曲した状態となり、第３フラップ６０においては、突状部６４がフラップ本体６２に対して折れ線を介して折曲した状態となる。
【００９２】
なお、包装箱Ａ１を折り畳んだ状態から組立て状態にするには、スリーブ状部５における隣接する部材が互いに直角となるようにして、開口部を四角形状に形成する。すると、底面視においては、図７の状態から図３の状態となる。
【００９３】
本実施例の包装箱Ａ１においては、切欠部Ｋ１を構成する辺部４６ｃが折れ線４０ｂの延長線（つまり、包装箱Ａ１の組立て状態において、角部Ｗ１と角部Ｗ２を結ぶ対角線Ｗ）よりも突状部４４側に突出せず（より具体的には、包装箱Ａ１の平面視又は底面視において、辺部４６ｃが折れ線４０ｂの延長線から突出していない）、これにより、フラップ本体４２が対角線Ｗ（折れ線４０ｂの延長線）よりも突状部４４側に突出しておらず、さらには、辺部４６ｃと辺部４６ｅとが折れ線４０ｂの延長線の両側に（つまり、折れ線４０ｂの延長線を介して互いに反対側に）該延長線よりも離れて形成されている（より具体的には、包装箱Ａ１の平面視又は底面視において、辺部４６ｃと辺部４６ｅとが折れ線４０ｂの延長線の両側に該延長線よりも離れて形成されている）とともに、辺部６６ｃ（この辺部６６ｃは辺部４６ｃと同様の構成である）と辺部６６ｅ（この辺部６６ｅは辺部４６ｅと同様の構成である）とが折れ線６０ｂの延長線の両側に（つまり、折れ線６０ｂの延長線を介して互いに反対側に）該延長線よりもよりも離れて形成されているので、包装箱Ａ１を組み立てた状態（図３、図４の状態）においても、辺部４６ｃと辺部６６ｃとが接触せず、また、辺部４６ｅと辺部６６ｅとが接触しないので、組立て状態と折り畳み状態との間で繰り返し変形してもフラップ本体４２、６２が損傷することがない。
【００９４】
また、上記のように、第１フラップ４０と第３フラップ６０とが互いに噛み合った状態となるので、包装箱Ａ１を組み立てて底部３０を平面状にした場合でも、底部３０の強度を十分得ることができる。
【００９５】
以上のように、本実施例の包装箱Ａ１においては、組立て状態と折畳み状態との間での変形を繰り返して使用しても底部３０を損傷することがなく、かつ、底部３０の強度を十分維持することができる。
【００９６】
また、上記従来の包装箱Ｂ１においては、図３０に示すように、大きな切欠部４５０にさらに小さな切欠部４５２が設けられていて、組立て状態では、この小さな切欠部４５２同士が掛止する構成であるので、包装箱の製造時に底部の貼りずれがわずかでも生じると底部を平板状にするのが困難であるが、本実施例の包装箱Ａ１においては、大きな切欠部Ｋ１と切欠部Ｋ２とが掛止する構成であるので、包装箱の製造時に底部の貼りずれがわずかに生じても底部を平板状に構成することができ、底部の貼りずれに強い構成であるといえる。
【実施例２】
【００９７】
次に、実施例２について説明する。実施例１が包装箱の側面を形成する各部（正面部、背面部、右側面部、左側面部）の横方向の幅が同一の例であるのに対して、実施例２は、包装箱の側面を形成する各部における隣接する部材における横方向の幅が異なる場合である。
【００９８】
実施例２の包装箱Ａ２は、図９〜図１４に示すように構成され、糊代部１１０と、背面部１１２（第１側面部）と、左側面部１１４（第２側面部）と、正面部１１６（第３側面部）と、右側面部１１８（第４側面部）と、上面部１２０と、差込み片部１２２と、底部１３０とを有している。この包装箱Ａ２は、１枚のシート状のブランク（具体的には、段ボール製（例えば、薄型段ボール製）のブランク）により形成されている。
【００９９】
正面部１１６と右側面部１１８と左側面部１１４と背面部１１２は、それぞれが包装箱Ａ２の側面を形成し、方形状の板状を呈していて、縦方向の幅は同一に形成され、横方向の幅は、正面部１１６と背面部１１２とが同一に構成され、左側面部１１４と右側面部１１８とが同一に構成されているが、正面部１１６及び背面部１１２の横方向の幅が、左側面部１１４及び右側面部１１８の横方向の幅よりも大きく形成されている。つまり、包装箱Ａ２を組み立てた状態では、底部１３０は、略長方形状に形成される。また、糊代部１１０は背面部１１２の側辺から折れ線を介して連設され、台形状の板状を呈し、右側面部１１８の内側に接着されて、正面部１１６と右側面部１１８と左側面部１１４と背面部１１２によりスリーブ状部１０５が形成される。
【０１００】
また、上面部１２０は、背面部１１２の上端から折れ線を介して連設され、スリーブ状部１０５を組み立てた場合の開口部の大きさと略同様の大きさの方形状を呈している。差込み片部１２２は、細長長方形状の角部にアールを形成した形状を呈し、上面部１２０の先端から折れ線を介して連設され、スリーブ状部１０５の開口部を上面部１２０により閉じる際に、正面部１１６の内側に差し込まれる。
【０１０１】
また、底部１３０は、第１フラップ１４０（第１片部）と、第２フラップ１５０（第２片部）と、第３フラップ１６０（第３片部）と、第４フラップ１７０（第４片部）とから構成され、第１フラップ１４０及び第３フラップ１６０と、第２フラップ１５０及び第４フラップ１７０とは、スリーブ状部１０５を構成する各部における相対する部材の下辺に連設されていて、第１フラップ１４０が、背面部１１２の下辺から折れ線を介して連設されているとともに、第３フラップ１６０が、正面部１１６の下辺から折れ線を介して連設されており、第２フラップ１５０が、左側面部１１４の下辺から折れ線を介して連設されているとともに、第４フラップ１７０が、右側面部１１８の下辺から折れ線を介して連設されている。第１フラップ１４０と第３フラップ１６０とは、同大同形状に形成され、第２フラップ１５０と第４フラップ１７０とは、同大同形状に形成されている。
【０１０２】
ここで、第１フラップ１４０と第３フラップ１６０とは同様の構成であるので、背面部１１２から折れ線を介して連設された第１フラップ１４０を例にとって説明すると、第１フラップ１４０は、背面部１１２の下辺から折れ線１４０ａ（第１基準折れ線）を介して連設された略台形形状を有するフラップ本体１４２（本体部（第１本体部））と、フラップ本体１４２の一方の傾斜辺から折れ線を介して連設されている突状部１４４（第１突状部）とを有している。
【０１０３】
ここで、フラップ本体１４２は、略台形形状の板状をなし、背面部１１２との境界の折れ線１４０ａ（第１基準折れ線）と、背面部１１２の下端（つまり、折れ線１４０ａ）の糊代部１１０側の端部から連設された直線状の辺部１４６ａと、辺部１４６ａの折れ線１４０ａ側とは反対側の端部から連設された直線状の辺部１４６ｂと、辺部１４６ｂの辺部１４６ａ側とは反対側の端部から折れ線１４０ａ側に斜めに連設された直線状の辺部１４６ｃと、辺部１４６ｃの辺部１４６ｂ側とは反対側の端部から連設された略円弧状（円弧状としてもよい）の辺部１４６ｄと、辺部１４６ｄの辺部１４６ｃ側とは反対側の端部から連設された略円弧状の辺部１４６ｅと、辺部１４６ｅの辺部１４６ｄ側とは反対側の端部から連設された直線状の辺部１４６ｆの一部と、辺部１４６ｆの途中位置から連設された直線状の折れ線１４０ｂと、折れ線１４０ｂの辺部１４６ｆ側とは反対側の端部から連設された直線状の辺部１４６ｌとにより囲まれた形状を呈している。なお、フラップ本体１４２自体としては、折れ線１４０ｂと辺部１４６ｌとは、１つの直線状の傾斜辺部を構成する。折れ線１４０ｂと辺部１４６ｌからなる傾斜辺部は、背面部１１２に隣接する左側面部１１４と背面部１１２間の境界線の下端位置又はその近傍から伸びている。
【０１０４】
辺部１４６ａと折れ線１４０ａとの間の角度α１は、鋭角（７５度〜８５度）であり、辺部１４６ｂは、折れ線１４０ａと平行（略平行としてもよい）であり、辺部１４６ｂと辺部１４６ａとの間の角度α２は、鈍角（９５度〜１０５度）である。また、辺部１４６ｃと辺部１４６ｂとの間の角度α３は、鈍角（１４５度〜１５５度）である。
【０１０５】
辺部１４６ｃが折れ線１４０ａの方向となす角度α４は、０度よりも大きく、四角形状に組み立てた状態のスリーブ状部１０５における下端の４つの角部のうち、折れ線１４０ｂの基端側の角部Ｗ１と角部Ｗ１の包装箱Ａ２の組立て状態における対角線上の角部Ｗ２（この角部Ｗ２の位置が第２下端位置となる）とを結ぶ対角線Ｗ（中心線）の方向が折れ線１４０ａとなす角度α５よりも小さく形成され、辺部１４６ｃの一方の端部は、折れ線１４０ａと直角な方向よりも背面部１１２と左側面部１１４との境界線の下端位置Ｇ（第１下端位置、つまり、角部Ｗ１と同じ位置）側を向いているとともに、折れ線１４０ａと平行な方向よりも該下端位置Ｇ側を向いている。さらに、辺部１４６ｃは、対角線Ｗよりも突状部１４４側に突出していない。なお、辺部１４６ｃの辺部１４６ｄ側の端部が対角線Ｗと接するか、あるいは、該端部がわずかに対角線Ｗから突出する構成であってもよい。その場合には、辺部１４６ｃにおける対角線Ｗよりも折れ線１４０ａ側の部分が第１辺部（第３辺部）となる。
【０１０６】
また、辺部１４６ｄは、略半円状を呈している。また、辺部１４６ｅは、略円弧状を呈するが、辺部１４６ｅが折れ線１４０ａの方向となす角度α６は、対角線Ｗ（中心線）の方向が折れ線１４０ａとなす角度α５よりも大きく形成されている。さらに、辺部１４６ｅは、対角線Ｗよりも離れた位置に形成されている。なお、辺部１４６ｃと辺部１４６ｅとは対角線Ｗの両側に（つまり、対角線Ｗを介して互いに反対側に）形成されている。
【０１０７】
また、辺部１４６ｆは、折れ線１４０ａの方向に対して略４５度（丁度４５度としてもよい）をなしている。また、折れ線１４０ｂは、辺部１４６ｌの延長線上にあり、辺部１４６ｌと折れ線１４０ｂとは、折れ線１４０ａに対して約４５度（丁度４５度としてもよい）の角度をなしている。すなわち、角度α９は約４５度となっている。
【０１０８】
また、突状部１４４は、フラップ本体１４２の辺部（つまり、折れ線１４０ｂに対応する辺部）から突出して連設され、略三角形状を呈し、折れ線１４６ｆの一部と、略円弧状の辺部１４６ｇと、辺部１４６ｇの辺部１４６ｆ側とは反対側の端部から連設された直線状の辺部１４６ｈと、辺部１４６ｈの辺部１４６ｇ側とは反対側の端部から連設された略円弧状（円弧状としてもよい）の辺部１４６ｉと、辺部１４６ｉの辺部１４６ｈ側とは反対側の端部から連設された直線状の辺部１４６ｊと、辺部１４６ｊの辺部１４６ｉ側とは反対側の端部から連設された直線状の辺部１４６ｋとにより囲まれた形状を呈している。
【０１０９】
また、辺部１４６ｈは、折れ線１４０ａと平行（略平行としてもよい）であり、辺部１４６ｈと辺部１４６ｊとの間の角度α７は、９０度よりもやや大きい角度（９０度よりも大きく９５度より小さい角度）であり、辺部１４６ｊと辺部１４６ｋとの間の角度α８は、鈍角（１５０度〜１６０度）をなしている。
【０１１０】
ここで、辺部１４６ｃと辺部１４６ｅ（特に、辺部１４６ｅにおける接線の折れ線１４０ａ側が折れ線１４０ａと直角方向よりも下端位置Ｇ側となる部分）は、互いに対向してテーパ状を形成する一対の辺部であり、辺部１４６ｃが第１辺部に当たり、辺部１４６ｅの一部（辺部１４６ｅにおける接線の折れ線１４０ａ側が折れ線１４０ａと直角方向よりも下端位置Ｇ側となる部分）が第２辺部に当たる。なお、辺部１４６ｃと該辺部１４６ｅの一部が、ともに、折れ線１４０ａに近づくに従い折れ線１４０ａの方向（つまり、左右の方向）において下端位置Ｇの側に近づくように折れ線１４０ａに対して傾斜して形成されている。
【０１１１】
第１フラップ１４０が上記のように構成されることにより、第１フラップ１４０にはテーパ状の切欠部Ｋ１（第１切欠部）が形成され、切欠部Ｋ１は、対角線Ｗ（中心線）が通る位置に形成され、切欠部Ｋ１のテーパ状の先端の方向は、対角線Ｗの方向と略同一であり（切欠部Ｋ１の先端が角部Ｗ１の位置又はその近傍に向けて形成されているとしてもよい）、少なくとも、折れ線１４０ａと直角な方向よりも背面部１１２と左側面部１１４との境界線の下端位置Ｇ（つまり、角部Ｗ１と同じ位置）側であるとともに、折れ線１４０ａと平行な方向よりも該下端位置Ｇ側であるといえる。また、テーパ状の先端の位置Ｐは、底部１３０を平面状に組み立てた際には、底部１３０の中央位置Ｒと略一致する。これにより、底部１３０を組み立てた際に、開口が形成されるのを防止することができる。また、この中央位置Ｒは、折れ線１４０ｂと辺部１４６ｄとが接する位置と略一致する。なお、切欠部Ｋ１は、対角線Ｗが通過する位置に形成されているので、切欠部Ｋ１の形成箇所と切欠部Ｋ２の形成箇所とが係合することができる。
【０１１２】
第１フラップ１４０にテーパ状の切欠部Ｋ１が形成されていることにより、突状部１４４の折れ線１４０ａとは反対側の先端におけるフラップ本体１４２側は、折れ線１４０ａと平行な方向（図１４では、左側方向）に突出した形状となっていて、突出部１４２ａを有している。
【０１１３】
また、突状部１４４は、折れ線１４０ａと直角の方向にフラップ本体１４２よりも突出して形成され、突状部１４４における折れ線１４０ａとは反対側の端部と折れ線１４０ａ間の長さ（折れ線１４０ａと直角方向の長さ）ｈ１は、フラップ本体１４２における折れ線１４０ａとは反対側の端部と折れ線１４０ａ間の長さ（折れ線１４０ａと直角方向の長さ）ｈ２よりも大きく形成されている。
【０１１４】
また、第２フラップ１５０は、略台形形状における先端側の一方の角部が突出した形状を呈し、実施例１における第２フラップ５０と略同様の構成となっている。
【０１１５】
すなわち、第２フラップ１５０は、左側面部１１４との境界の折れ線１５０ａと、左側面部１１４の下端（つまり、折れ線１５０ａ）の背面部１１２側の端部近傍から連設された直線状の辺部１５６ａと、辺部１５６ａの折れ線１５０ａ側とは反対側の端部から連設された略円弧状の辺部１５６ｂと、辺部１５６ｂの辺部１５６ａ側とは反対側の端部から連設された直線状の辺部１５６ｃと、辺部１５６ｃの辺部１５６ｂ側とは反対側の端部から折れ線１５０ａ側とは反対側に斜めに連設された直線状の辺部１５６ｄと、辺部１５６ｄの辺部１５６ｃ側とは反対側の端部から連設された略円弧状の辺部１５６ｅと、辺部１５６ｅの辺部１５６ｄ側とは反対側の端部から連設された直線状の辺部１５６ｆと、辺部１５６ｆの辺部１５６ｅ側とは反対側の端部から連設された略円弧状の辺部１５６ｇと、辺部１５６ｇの辺部１５６ｆ側とは反対側の端部から連設された直線状の辺部１５６ｈと、辺部１５６ｈの辺部１５６ｇ側とは反対側の端部から連設された直線状の辺部１５６ｉとにより囲まれた形状を呈している。
【０１１６】
ここで、辺部１５６ａと折れ線１５０ａ間の角度β１は鋭角（６０度〜７０度）をなし、辺部１５６ｃは折れ線１５０ａと平行（略平行としてもよい）となっている。また、辺部１５６ｉと折れ線１５０ａ間の角度β２は、４５度（略４５度としてもよい）となっている。また、辺部１５６ｈは、折れ線１５０ａと略直角（丁度直角としてもよい）となっている。第２フラップ１５０においては、辺部１５６ｄ〜１５６ｈにより折れ線１５０ａに対して略直角方向に突出した形状となっていて、辺部１５６ｃと辺部１５６ｄの接続位置と辺部１５６ｈと辺部１５６ｉの接続位置を結ぶ直線状の仮想線１５６ｊを介して、基端側を基端部１５２とし、先端側を先端部１５４とすると、先端部１５４が基端部１５２から突出した形状となっている。
【０１１７】
また、基端部１５２における折れ線１５０ａとは反対側の端部と折れ線１５０ａ間の長さｈ３は、第１フラップ１４０におけるテーパ状の切欠部Ｋ１と背面部１１２と左側面部１１４間の境界線間の折れ線１４０ａの方向における長さｈ４よりも短く形成されている。
【０１１８】
包装箱Ａ２の製函状態においては、第２フラップ１５０は第１フラップ１４０の突状部１４４に接着されていて、包装箱Ａ２を組み立てた状態では、第２フラップ１５０の下面と第１フラップ１４０の突状部１４４の上面とが接着し、特に、第１フラップ１４０の辺部１４６ｈが第２フラップ１５０の辺部１５６ｈと略平行になるように接着される。
【０１１９】
また、第３フラップ１６０は、正面部１１６の下辺から折れ線１６０ａ（第２基準折れ線）を介して連設され略台形形状を有するフラップ本体１６２（本体部（第２本体部））と、フラップ本体１６２の一方の傾斜辺から折れ線１６０ｂを介して連設されている突状部１６４（第２突状部）とを有している。第３フラップ１６０の構成は、第１フラップ１４０の構成と同一であり、フラップ本体１６２は、フラップ本体１４２と同一の構成であり、突状部１６４は、突状部１４４と同一の構成であるので、詳しい説明を省略する。第３フラップ１６０には、切欠部Ｋ１と同一の構成の切欠部Ｋ２（第２切欠部）が形成されている。なお、折れ線１６０ｂと辺部１６６ｌからなる直線状の傾斜辺部は、正面部１１６に隣接する右側面部１１８（第２隣接側面部）と正面部１１６の境界線の下端位置又はその近傍から伸びている。また、辺部１６６ｃと辺部１６６ｅは、互いに対向してテーパ状を形成する一対の辺部であり、辺部１６６ｃが第３辺部に当たり、辺部１６６ｅが第４辺部に当たる。辺部１６６ｃは、辺部１４６ｃと同一の構成であり、辺部１６６ｅは、辺部１４６ｅと同一の構成である。
【０１２０】
また、第４フラップ１７０は、略台形形状における先端側の一方の角部が突出した形状を呈している。第４フラップ１７０は、基端部１７２と基端部１７２から突出した先端部１７４とを有している。第４フラップ１７０の構成は、第２フラップ１５０と同一の構成であり、基端部１７２は基端部１５２と同一の構成であり、先端部１７４は先端部１５４と同一の構成であるので、詳しい説明を省略する。
【０１２１】
包装箱Ａ２の製函状態においては、第４フラップ１７０は第３フラップ１６０の突状部１６４に接着されていて、包装箱Ａ２を組み立てた状態では、第４フラップ１７０の下面と第３フラップ１６０の突状部１６４の上面とが接着し、特に、第３フラップ１６０の辺部１６６ｈが第４フラップ１７０の辺部１７６ｈと略平行になるように接着される。
【０１２２】
また、包装箱Ａ２が組み立てられた状態では、図１１、図１２に示すように、第１フラップ１４０の切欠部Ｋ１の形成箇所と第３フラップ１６０の切欠部Ｋ２の形成箇所が互いに係合した状態となっていて、底部１３０を強固に平面状に維持している。特に、切欠部Ｋ１のテーパ状の先端の方向は、対角線Ｗの方向と略同一であり、第１フラップ１４０のフラップ本体１４２の突出部１４２ａが折れ線１４０ａと平行な方向に突出し、また、切欠部Ｋ２のテーパ状の先端の方向は、対角線Ｗの方向と略同一であり（切欠部Ｋ２の先端が角部Ｗ２の位置又はその近傍に向けて形成されているとしてもよい）、第３フラップ１６０のフラップ本体１６２の突出部１６２ａが折れ線１６０ａと平行な方向に突出しているので、包装箱Ａ２の底面視において、図１１に示すように、第１フラップ１４０と第３フラップ１６０とが互いに噛み合った状態となるので、底部１３０を強固に平面状に維持している。特に、図１１の状態では、突出部１４２ａがフラップ本体１６２を押した状態となり、突出部１６２ａがフラップ本体１４２を押した状態となるので、容易に折り畳み状態に戻ることがない。そして、図１１に示すように、２つの折れ線１４０ｂ、１６０ｂは互いに平行になるとともに、図１２に示すように、第１フラップ１４０の辺部１４６ｃと第３フラップ１６０の辺部１６６ｃは略一直線上をなしている。
【０１２３】
つまり、切欠部Ｋ１において互いに対向してテーパ状を形成する辺部１４６ｃと辺部１４６ｅの一部が、ともに、折れ線１４０ａに近づくに従い折れ線１４０ａの方向において第１下端位置（つまり、角部Ｗ１の位置）の側に近づくように折れ線１４０ａに対して傾斜して形成され、辺部１４６ｃと折れ線１４０ａの方向との間の角度が、折れ線１４０ａと対角線Ｗとの間の角度よりも小さく形成されるとともに、該辺部１４６ｅの一部と折れ線１４０ａの方向との間の角度が、折れ線１４０ａと対角線との間の角度よりも大きく形成され、切欠部Ｋ１が形成されていることにより、第１フラップ１４０の突状部１４４の先端における切欠部Ｋ１側が折れ線１４０ａと略平行な方向に突出した突出部１４４ａが形成され、切欠部Ｋ２において互いに対向してテーパ状を形成する一対の辺部１６６ｃと辺部１６６ｅの一部（辺部１４６ｅと対応した部分）が、ともに、折れ線１６０ａに近づくに従い折れ線１６０ａの方向において第２下端位置（つまり、角部Ｗ２の位置）の側に近づくように折れ線１６０ａに対して傾斜して形成され、辺部１６６ｃと折れ線１６０ａの方向との間の角度が、折れ線１６０ａと対角線Ｗとの間の角度よりも小さく形成されるとともに、辺部１６６ｅの一部と折れ線１６０ａの方向との間の角度が、折れ線１６０ａと対角線との間の角度よりも大きく形成され、切欠部Ｋ２が形成されていることにより、第３フラップ１６０の突状部１６４の先端における切欠部Ｋ２側が折れ線１６０ａと略平行な方向に突出した突出部１６４ａが形成されているので、第１フラップ１４０の切欠部Ｋ１形成領域と第３フラップ１６０の切欠部Ｋ２形成領域とが互いに係合すると、第１フラップ１４０と第３フラップ１６０とが互いに噛み合った状態となり、特に、第１フラップ１４０の突出部１４４ａが第３フラップ１６０のフラップ本体１６２を押した状態となり、第３フラップ１６０の突出部１６４ａが第１フラップ１４０のフラップ本体１４２を押した状態となるので、容易に折り畳み状態に戻ることがなく、底部を強固に平面状に維持することができる。
【０１２４】
包装箱Ａ２において、組立て状態から折り畳み状態にするには、スリーブ状部１０５を折り畳むことにより、底部１３０を構成する各部がスリーブ状部１０５の内部に畳まれた状態となる。すなわち、組立て状態から折り畳み状態に至る途中においては、右側面部１１８を正面部１１６側に傾動させるとともに、左側面部１１４を背面部１１２側に傾動させると、その底面視は図１５に示すようになり、さらに、包装箱Ａ２を折り畳んだ状態では図１６に示すような状態となる。その際、第１フラップ１４０においては、突状部１４４がフラップ本体１４２に対して折れ線を介して折曲した状態となり、第３フラップ１６０においては、突状部１６４がフラップ本体１６２に対して折れ線を介して折曲した状態となる。
【０１２５】
なお、包装箱Ａ２を折り畳んだ状態から組立て状態にするには、スリーブ状部１０５における隣接する部材が互いに直角となるようにして、開口部を四角形状に形成する。すると、底面視においては、図１５の状態から図１１の状態となる。
【０１２６】
本実施例の包装箱Ａ２においては、切欠部Ｋ１を構成する辺部１４６ｃが対角線Ｗよりも突状部１４４側に突出せず（より具体的には、包装箱Ａ２の平面視又は底面視において、辺部１４６ｃが対角線Ｗより突出していない）、これにより、フラップ本体１４２が対角線Ｗよりも突状部１４４側に突出しておらず、さらには、辺部１４６ｃと辺部１４６ｅとが対角線Ｗの両側に（つまり、対角線Ｗを介して互いに反対側に）形成されている（より具体的には、包装箱Ａ２の平面視又は底面視において、辺部１４６ｃと辺部１４６ｅとが対角線Ｗの両側に形成されている）とともに、切欠部Ｋ２を構成する辺部１６６ｃ（この辺部１６６ｃは辺部１４６ｃと同様の構成である）が対角線Ｗよりも突状部１６４側に突出せず、これにより、フラップ本体１６２が対角線Ｗよりも突状部１６４側に突出しておらず、さらには、辺部１６６ｃと辺部１６６ｅ（この辺部１６６ｅは辺部１４６ｅと同様の構成である）とが対角線Ｗの両側に（つまり、対角線Ｗを介して互いに反対側に）形成されているので、包装箱Ａ２を組み立てた状態（図１１、図１２の状態）においても、辺部１４６ｃと辺部１６６ｃとが接触せず、また、辺部１４６ｅと辺部１６６ｅとが接触しないので、組立て状態と折り畳み状態との間で繰り返し変形してもフラップ本体１４２、１６２が損傷することがない。
【０１２７】
また、上記のように、第１フラップ１４０と第３フラップ１６０とが互いに噛み合った状態となるので、包装箱Ａ２を組み立てて底部１３０を平面状にした場合でも、底部１３０の強度を十分得ることができる。
【０１２８】
以上のように、本実施例の包装箱Ａ２においては、組立て状態と折畳み状態との間での変形を繰り返して使用しても底部１３０を損傷することがなく、かつ、底部１３０の強度を十分維持することができる。
【０１２９】
また、上記従来の包装箱Ｂ２においては、図３０に示すように、大きな切欠部５５０にさらに小さな切欠部５５２が設けられていて、組立て状態では、この小さな切欠部５５２同士が掛止する構成であるので、包装箱の製造時に底部の貼りずれがわずかでも生じると底部を平板状にするのが困難であるが、本実施例の包装箱Ａ２においては、大きな切欠部Ｋ１と切欠部Ｋ２とが掛止する構成であるので、包装箱の製造時に底部の貼りずれがわずかに生じても底部を平板状に構成することができ、底部の貼りずれに強い構成であるといえる。
【０１３０】
なお、包装箱Ａ２において、包装箱Ａ２を組立て状態と折畳み状態との間で変形を繰り返すと、特に、図１１に示す組立て状態と図１５に示す状態との間の状態において、突出部１４２ａが他方のフラップ本体１６２に接触し、突出部１６２ａが他方のフラップ１４２に接触するので、フラップ本体１４２のテーパ状の切欠部Ｋ１の付近（図１１におけるＴ１に示す領域）やフラップ本体１６２のテーパ状の切欠部Ｋ２の付近（図１１におけるＴ２に示す領域）に皺が発生する場合がある。
【０１３１】
そこで、図１７、図１８に示す実施例２の変形例としての包装箱Ａ２’のように、フラップ本体１４２の切欠部Ｋ１の先端位置から折れ線１４０ａに略平行（丁度平行としてもよい）に罫線１４２ｂを形成し、また、フラップ本体１６２の切欠部Ｋ２の先端位置から折れ線１６０ａに略平行（丁度平行としてもよい）に罫線１６２ｂを形成することにより、突出部１４２ａが他方のフラップ本体１６２に接触しても罫線１４２ｂにより罫線１４２ｂよりも先端の部分が罫線１４２ｂを介してわずかに折曲し、突出部１６２ａが他方のフラップ１４２に接触しても罫線１６２ｂにより罫線１６２ｂよりも先端の部分が罫線１６２ｂを介してわずかに折曲するので、皺の発生を防止することができる。
【実施例３】
【０１３２】
次に、実施例３の包装箱について説明する。実施例３の包装箱Ａ３は、実施例１の包装箱Ａ１と略同様の構成であるが、第２フラップや第４フラップの構成が若干異なる。
【０１３３】
包装箱Ａ３は、図１９〜図２１に示すように構成され、糊代部２１０と、背面部２１２（第１側面）と、左側面部２１４（第２側面部）と、正面部２１６（第３側面部）と、右側面部２１８（第４側面部）と、上面部２２０と、差込み片部２２２と、底部２３０とを有している。正面部２１６と右側面部２１８と左側面部２１４と背面部２１２と糊代部２１０によりスリーブ状部２０５が形成される。この包装箱Ａ３は、１枚のシート状のブランク（具体的には、段ボール製（例えば、薄型段ボール製）のブランク）により形成されている。また、底部２３０は、背面部２１２から折れ線２４０ａを介して連設された第１フラップ２４０と、左側面部２１４から折れ線２５０ａを介して連設された第２フラップ２５０と、正面部２１６から折れ線２６０ａを介して連設された第３フラップ２６０と、右側面部２１８から折れ線２７０ａを介して連設された第４フラップ２７０とから構成され、第１フラップ２４０及び第３フラップ２６０と、第２フラップ２５０及び第４フラップ２７０とは、スリーブ状部２０５を構成する各部における相対する部材の下辺に連設されている。
【０１３４】
糊代部２１０と、背面部２１２と、左側面部２１４と、正面部２１６と、右側面部２１８と、上面部２２０と、差込み片部２２２とは、それぞれ、実施例１の包装箱Ａ１における糊代部１０と、背面部１２と、左側面部１４と、正面部１６と、右側面部１８と、上面部２０と、差込み片部２２と同様の構成であるので、詳しい説明を省略する。
【０１３５】
また、第１フラップ２４０は、包装箱Ａ１の第１フラップ４０と同様の構成であり、第１フラップ２４０を構成するフラップ本体２４２は、フラップ本体４２と同様の構成であり、フラップ本体２４２から折れ線２４０ｂを介して連設された突状部２４４は、突状部４４と同様の構成であるので、詳しい説明を省略する。
【０１３６】
また、第３フラップ２６０は、包装箱Ａ１の第３フラップ６０と同様の構成であり、第３フラップ２６０を構成するフラップ本体２６２は、フラップ本体６２と同様の構成であり、フラップ本体２６２から折れ線２６０ｂを介して連設された突状部２６４は、突状部６４と同様の構成であるので、詳しい説明を省略する。
【０１３７】
また、第２フラップ２５０は、略台形形状における先端側の一方の角部が突出した形状を呈し、左側面部２１４との境界の折れ線２５０ａと、左側面部２１４の下端（つまり、折れ線２５０ａ）の背面部２１２側の端部近傍から連設された直線状の辺部２５６ａと、辺部２５６ａの折れ線２５０ａ側とは反対側の端部から連設された略円弧状の辺部２５６ｂと、辺部２５６ｂの辺部２５６ａ側とは反対側の端部から連設された直線状の辺部２５６ｃと、辺部２５６ｃの辺部２５６ｂ側とは反対側の端部から折れ線２５０ａ側とは反対側に斜めに連設された直線状の辺部２５６ｄと、辺部２５６ｄの辺部２５６ｃ側とは反対側の端部から連設された略円弧状の辺部２５６ｅと、辺部２５６ｅの辺部２５６ｄ側とは反対側の端部から連設された直線状の辺部２５６ｆと、辺部２５６ｆの辺部２５６ｅ側とは反対側の端部から連設された直線状の辺部２５６ｇと、辺部２５６ｇの辺部２５６ｆ側とは反対側の端部から連設された直線状の辺部２５６ｈとにより囲まれた形状を呈している。
【０１３８】
ここで、辺部２５６ａと折れ線２５０ａ間の角度β１は鋭角（６５度〜７５度）をなし、辺部２５６ｃは折れ線２５０ａと略平行（丁度平行としてもよい）となっている。また、辺部２５６ｈと折れ線２５０ａ間の角度β２は、４５度（略４５度としてもよい）となっている。また、辺部２５６ｇは、折れ線２５０ａと略直角（丁度直角としてもよい）となっている。第２フラップ２５０においては、辺部２５６ｄ〜２５６ｇにより折れ線２５０ａに対して略直角方向に突出した形状となっていて、辺部２５６ｃと辺部２５６ｄの接続位置と辺部２５６ｇと辺部２５６ｈの接続位置を結ぶ直線状の仮想線２５６ｉを介して、基端側を基端部２５２とし、先端側を先端部２５４とすると、先端部２５４が基端部２５２から突出した形状となっている。実施例１の先端部５４と比較すると、先端部２５４は、角張った形状をしているといえる。
【０１３９】
また、基端部２５２における折れ線２５０ａとは反対側の端部と折れ線２５０ａ間の長さｈ３は、第１フラップ２４０におけるテーパ状の切欠部Ｋ１と背面部２１２と左側面部２１４間の境界線間の折れ線２４０ａの方向における長さｈ４と略同一に（又は長さｈ４よりも短く）形成されている。
【０１４０】
包装箱Ａ３の製函状態においては、第２フラップ２５０は第１フラップ２４０の突状部２４４に接着されていて、包装箱Ａ３を組み立てた状態では、第２フラップ２５０の下面と第１フラップ２４０の突状部２４４の上面とが接着し、特に、第１フラップ２４０の辺部２４６ｉ（辺部４６ｉと同様の構成の辺部）が第２フラップ２５０の辺部２５６ｇと略平行になるように接着される。また、第２フラップ２５０と第１フラップ２４０とが接着した状態では、先端部２５４の少なくとも一部は、第１フラップ２４０における突出部２４４ａ（突出部４４ａと同様の構成の突出部）と重なっていて、第１フラップ２４０の突状部２４４を補強している。
【０１４１】
また、第４フラップ２７０は、略台形形状における先端側の一方の角部が突出した形状を呈している。第４フラップ２７０は、基端部２７２と基端部２７２から突出した先端部２７４とを有している。第４フラップ２７０の構成は、第２フラップ２５０と同一の構成であり、基端部２７２は基端部２５２と同一の構成であり、先端部２７４は先端部２５４と同一の構成であるので、詳しい説明を省略する。
【０１４２】
包装箱Ａ３の製函状態においては、第４フラップ２７０は第３フラップ２６０の突状部２６４に接着されていて、包装箱Ａ３を組み立てた状態では、第４フラップ２７０の下面と第３フラップ２６０の突状部２６４の上面とが接着し、特に、第３フラップ２６０の辺部２６６ｉが第２フラップ２７０の辺部２７６ｇと略平行になるように接着される。また、第４フラップ２７０と第３フラップ２６０とが接着した状態では、先端部２７４の少なくとも一部は、第３フラップ２６０における突出部２６４ａと重なっていて、第３フラップ２６０の突状部２６４を補強している。
【０１４３】
実施例３の包装箱Ａ３においても、実施例１の包装箱Ａ１と同様の作用・効果を得ることができる。
【実施例４】
【０１４４】
次に、実施例４の包装箱について説明する。実施例４の包装箱Ａ４は、実施例２の包装箱Ａ２と略同様の構成であるが、第２フラップや第４フラップの構成が若干異なる。
【０１４５】
包装箱Ａ４は、図２２〜図２４に示すように構成され、糊代部３１０と、背面部３１２（第１側面部）と、左側面部３１４（第２側面部）と、正面部３１６（第３側面部）と、右側面部３１８（第４側面部）と、上面部３２０と、差込み片部３２２と、底部３３０とを有している。正面部３１６と右側面部３１８と左側面部３１４と背面部３１２と糊代部３１０によりスリーブ状部３０５が形成される。この包装箱Ａ４は、１枚のシート状のブランク（具体的には、段ボール製（例えば、薄型段ボール製）のブランク）により形成されている。また、底部３３０は、背面部３１２から折れ線３４０ａを介して連設された第１フラップ３４０と、左側面部３１４から折れ線３５０ａを介して連設された第２フラップ３５０と、正面部３１６から折れ線３６０ａを介して連設された第３フラップ３６０と、右側面部３１８から折れ線３７０ａを介して連設された第４フラップ３７０とから構成され、第１フラップ３４０及び第３フラップ３６０と、第２フラップ３５０及び第４フラップ３７０とは、スリーブ状部３０５を構成する各部における相対する部材の下辺に連設されている。
【０１４６】
糊代部３１０と、背面部３１２と、左側面部３１４と、正面部３１６と、右側面部３１８と、上面部３２０と、差込み片部３２２とは、それぞれ、実施例２の包装箱Ａ２における糊代部１１０と、背面部１１２と、左側面部１１４と、正面部１１６と、右側面部１１８と、上面部１２０と、差込み片部１２２と同様の構成であるので、詳しい説明を省略する。
【０１４７】
また、第１フラップ３４０は、包装箱Ａ２の第１フラップ１４０と同様の構成であり、第１フラップ３４０を構成するフラップ本体３４２は、フラップ本体１４２と同様の構成であり、フラップ本体３４２から折れ線３４０ｂを介して連設された突状部３４４は、突状部１４４と同様の構成であるので、詳しい説明を省略する。
【０１４８】
また、第３フラップ３６０は、包装箱Ａ２の第３フラップ１６０と同様の構成であり、第３フラップ３６０を構成するフラップ本体３６２は、フラップ本体１６２と同様の構成であり、フラップ本体３６２から折れ線３６０ｂを介して連設された突状部３６４は、突状部１６４と同様の構成であるので、詳しい説明を省略する。
【０１４９】
また、第２フラップ３５０は、略台形形状における先端側の一方の角部が突出した形状を呈し、左側面部３１４との境界の折れ線３５０ａと、左側面部３１４の下端（つまり、折れ線３５０ａ）の背面部３１２側の端部近傍から連設された直線状の辺部３５６ａと、辺部３５６ａの折れ線３５０ａ側とは反対側の端部から連設された略円弧状の辺部３５６ｂと、辺部３５６ｂの辺部３５６ａ側とは反対側の端部から連設された直線状の辺部３５６ｃと、辺部３５６ｃの辺部３５６ｂ側とは反対側の端部から折れ線３５０ａ側とは反対側に斜めに連設された直線状の辺部３５６ｄと、辺部３５６ｄの辺部３５６ｃ側とは反対側の端部から連設された略円弧状の辺部３５６ｅと、辺部３５６ｅの辺部３５６ｄ側とは反対側の端部から連設された直線状の辺部３５６ｆと、辺部３５６ｆの辺部３５６ｅ側とは反対側の端部から連設された略円弧状の辺部３５６ｇと、辺部３５６ｇの辺部３５６ｆ側とは反対側の端部から連設された直線状の辺部３５６ｈとにより囲まれた形状を呈している。
【０１５０】
ここで、辺部３５６ａと折れ線３５０ａ間の角度β１は鋭角（６５度〜７５度）をなし、辺部３５６ｃは折れ線３５０ａと略平行（丁度平行としてもよい）となっている。また、辺部３５６ｈと折れ線３５０ａ間の角度β２は、４５度（略４５度としてもよい）となっている。また、辺部３５６ｈは、折れ線３５０ａと略直角（丁度直角としてもよい）となっている。第２フラップ３５０においては、辺部３５６ｄ〜３５６ｈにより折れ線３２５０ａに対して略直角方向に突出した形状となっていて、辺部３５６ｃと辺部３５６ｄの接続位置と辺部３５６ｈと辺部３５６ｉの接続位置を結ぶ直線状の仮想線３５６ｊを介して、基端側を基端部３５２とし、先端側を先端部３５４とすると、先端部３５４が基端部３５２から突出した形状となっている。実施例２の先端部１５４と比較すると、先端部３５４は、角張った形状をしているといえる。
【０１５１】
また、基端部３５２における折れ線３５０ａとは反対側の端部と折れ線３５０ａ間の長さｈ３は、第１フラップ３４０におけるテーパ状の切欠部Ｋ１と背面部３１２と左側面部３１４間の境界線間の折れ線３４０ａの方向における長さｈ４よりも短く形成されている。
【０１５２】
包装箱Ａ４の製函状態においては、第２フラップ３５０は第１フラップ３４０の突状部３４４に接着されていて、包装箱Ａ４を組み立てた状態では、第２フラップ３５０の下面と第１フラップ３４０の突状部３４４の上面とが接着し、特に、第１フラップ３４０の辺部３４６ｈ（辺部１４６ｈと同様の構成の辺部）が第２フラップ３５０の辺部３５６ｈと略平行になるように接着される。
【０１５３】
また、第４フラップ３７０は、略台形形状における先端側の一方の角部が突出した形状を呈している。第４フラップ３７０は、基端部３７２と基端部３７２から突出した先端部３７４とを有している。第４フラップ３７０の構成は、第２フラップ３５０と同一の構成であり、基端部３７２は基端部３５２と同一の構成であり、先端部３７４は先端部３５４と同一の構成であるので、詳しい説明を省略する。
【０１５４】
包装箱Ａ４の製函状態においては、第４フラップ３７０は第３フラップ３６０の突状部３６４に接着されていて、包装箱Ａ４を組み立てた状態では、第４フラップ３７０の下面と第３フラップ３６０の突状部３６４の上面とが接着し、特に、第３フラップ３６０の辺部３６６ｈが第４フラップ３７０の辺部３７６ｈと略平行になるように接着される。
【０１５５】
実施例４の包装箱Ａ４においては、実施例２の包装箱Ａ２と同様の作用・効果を得ることができる。
【０１５６】
なお、実施例４においては、実施例２の変形例としての包装箱Ａ２’と同様に、図２４、図２５に示す実施例４の変形例としての包装箱Ａ４’に示すように、フラップ本体３４２の切欠部Ｋ１の先端位置から折れ線３４０ａに略平行（丁度平行としてもよい）に罫線３４２ｂを形成し、また、フラップ本体３６２の切欠部Ｋ２の先端位置から折れ線３６０ａに略平行（丁度平行としてもよい）に罫線３６２ｂを形成することにより、突出部３４２ａが他方のフラップ本体３６２に接触しても罫線３４２ｂにより罫線３４２ｂよりも先端の部分が罫線３４２ｂを介してわずかに折曲し、突出部３６２ａが他方のフラップ本体３４２に接触しても罫線３６２ｂにより罫線３６２ｂよりも先端の部分が罫線３６２ｂを介してわずかに折曲するので、皺の発生を防止することができる。
【０１５７】
なお、上記各実施例において、左右対称に形成したものでもよい。つまり、上記各実施例の展開図（図５、図１３、図１８、図１９、図２２、図２５）においては、包装箱の外側の面が表れた状態で描かれているが、これらの展開図で描かれている側を包装箱の内側の面として組み立てたものとしてもよい。
【符号の説明】
【０１５８】
Ａ１、Ａ２、Ａ２’、Ａ３、Ａ４、Ａ４’  包装箱
５、１０５、２０５、３０５  スリーブ状部
１０、１１０、２１０、３１０  糊代部
１２、１１２、２１２、３１２  背面部
１４、１１４、２１４、３１４  左側面部
１６、１１６、２１６、３１６  正面部
１８、１１８、２１８、３１８  右側面部
３０、１３０、２３０、３３０  底部
４０、１４０、２４０、３４０  第１フラップ
５０、１５０、２５０、３５０  第２フラップ
６０、１６０、２６０、３６０  第３フラップ
７０、１７０、２７０、３７０  第４フラップ
４２、６２、１４２、１６２、２４２、２６２、３４２、３６２  フラップ本体
４４、６４、１４４、１６４、２４４、２６４、３４４、３６４  突状部
４４ａ、６４ａ、１４２ａ、１６２ａ、２４４ａ、２６４ａ、３４２ａ、３６２ａ  突出部
Ｋ１、Ｋ２  切欠部
【図１】
0003166289.tif 000003
【図２】
0003166289.tif 000004
【図３】
0003166289.tif 000005
【図４】
0003166289.tif 000006
【図５】
0003166289.tif 000007
【図６】
0003166289.tif 000008
【図７】
0003166289.tif 000009
【図８】
0003166289.tif 000010
【図９】
0003166289.tif 000011
【図１０】
0003166289.tif 000012
【図１１】
0003166289.tif 000013
【図１２】
0003166289.tif 000014
【図１３】
0003166289.tif 000015
【図１４】
0003166289.tif 000016
【図１５】
0003166289.tif 000017
【図１６】
0003166289.tif 000018
【図１７】
0003166289.tif 000019
【図１８】
0003166289.tif 000020
【図１９】
0003166289.tif 000021
【図２０】
0003166289.tif 000022
【図２１】
0003166289.tif 000023
【図２２】
0003166289.tif 000024
【図２３】
0003166289.tif 000025
【図２４】
0003166289.tif 000026
【図２５】
0003166289.tif 000027
【図２６】
0003166289.tif 000028
【図２７】
0003166289.tif 000029
【図２８】
0003166289.tif 000030
【図２９】
0003166289.tif 000031
【図３０】
0003166289.tif 000032
【図３１】
0003166289.tif 000033
【図３２】
0003166289.tif 000034
【図３３】
0003166289.tif 000035
【図３４】
0003166289.tif 000036
【図３５】
0003166289.tif 000037